(57)【要約】【課題】遊技演出の多様化を図るべく複数の表示手段からなる絵柄表示手段を用いつつも、その絵柄表示手段を遊技機背面側スペースに好適に設置することができる遊技機を提供することを目的とするものである。【解決手段】パチンコ機１０においては、可変表示ユニット５６が設けられている。また、可変表示ユニット５６に７セグメント表示装置１１２と補助演出実行装置１１３とがそれぞれ異なる位置に設けられている。可変表示ユニット５６にはミラー部材１１４が設けられている。ミラー部材１１４には透過表示部と反射表示部とが設けられており、ミラー部材１１４における透過表示部を介して７セグメント表示装置１１２が視認可能となり、ミラー部材１１４における反射表示部を介して補助演出実行装置１１３が視認可能となる。【選択図】      図６
2010012084.tif 000002
【特許請求の範囲】
【請求項１】
絵柄を表示する絵柄表示手段を備え、遊技機前面に設けられた絵柄視認部を通じて前記絵柄表示手段による表示絵柄が視認可能とされる遊技機であり、
前記絵柄表示手段は、
前記絵柄視認部の後方に設けられ、照射された光の一部を反射し一部を透過するビームスプリッタ機能を有する第１ミラー部材と、
前記第１ミラー部材の後方に設けられ、前記表示絵柄として第１情報を表示する第１表示手段と、
前記第１ミラー部材を挟んで前記第１表示手段とは反対側の反対側領域に設けられ、前記表示絵柄として第２情報を表示する第２表示手段と、
を備え、
前記第１ミラー部材と前記第１表示手段との間であって前記第１ミラー部材において前記第１情報の表示部位以外の部位には、当該部位を通過する光を遮蔽する光遮蔽手段が設けられ、
前記第１ミラー部材において前記光遮蔽手段が設けられていない部位に前後に並べて、前記ビームスプリッタ機能を有する第２ミラー部材が設けられていることを特徴とする遊技機。
【請求項２】
前記第２ミラー部材は、前記第１ミラー部材及び前記光遮蔽手段の背面側であり、かつ、前記第１表示手段の前方に位置するよう設けられていることを特徴する請求項１に記載の遊技機。
【発明の詳細な説明】
【技術分野】
【０００１】
本発明は、遊技機に関するものである。
【背景技術】
【０００２】
パチンコ機等の遊技機には、表示画面を有する図柄表示装置を備えたものがある。例えば、パチンコ機における表示画面上では、遊技領域に備えられた作動口を遊技球が通過することを条件として図柄を変動表示し遊技の興趣を高める演出を行う、又は、所定条件成立時に特定図柄を停止表示し、大当たり等の遊技者に有利な特別遊技状態の教示を行う等が行われているものがある。遊技の興趣を高める演出として、例えば、大当たりと密接に関連し、遊技者に大当たりへの期待度を高めるようなリーチ演出がある。また、近年では、遊技の興趣を一層高めるべく、遊技回毎に変動表示される図柄に加えて演出用のキャラクタ等を表示しこのキャラクタを用いてリーチ演出を行う、或いは表示画面上に表示する図柄数を増加させる等の工夫が行われており、表示演出が多様化しつつある。
【０００３】
また、表示演出を一層多様化させるべく図柄表示装置以外に他の表示演出装置を設け、図柄表示装置による演出の実行のみならず他の表示演出装置を用いて表示演出を実行するものも提案されている。例えば、図柄表示装置の周囲に可動式の装飾部材を設置した遊技機があり、装飾部材を適宜作動させることによって遊技の興趣向上が図られている（例えば特許文献１参照）。
【特許文献１】特開２００３−２３６０８６号公報
【発明の開示】
【発明が解決しようとする課題】
【０００４】
上述した図柄表示装置と他の表示演出装置とを備えたパチンコ機のように、複数の表示演出装置を備える遊技機であれば、その複数の表示演出装置を使って多種多様な演出を実現できる反面、その複数の表示演出装置の配置スペースが大型化することが懸念される。一般的にパチンコ機等の遊技機は、遊技ホールの島設備等に並べて設置され、遊技機自体の大きさに制限がある。このため、配置スペースが大型化されることによって、その配置スペースの確保が困難なものとなってしまうおそれがある。
【０００５】
なお、上記の問題は、パチンコ機に限らず、遊技ホール等に設置される他の遊技機にも該当する問題である。遊技機として例えば、メダル使用回胴式遊技機であるスロットマシンや、スロットマシンとパチンコ機とを融合した球使用回胴式遊技機が考えられる。
【０００６】
本発明は上記例示した事情等に鑑みてなされたものであり、遊技演出の多様化を図るべく複数の表示手段からなる絵柄表示手段を用いつつも、その絵柄表示手段を遊技機背面側スペースに好適に設置することができる遊技機を提供することを目的とするものである。
【課題を解決するための手段】
【０００７】
以下、上記課題を解決するための手段について記載する。
【０００８】
請求項１記載の発明では、絵柄を表示する絵柄表示手段を備え、遊技機前面に設けられた絵柄視認部を通じて前記絵柄表示手段による表示絵柄が視認可能とされる遊技機であり、前記絵柄表示手段は、前記絵柄視認部の後方に設けられ、照射された光の一部を反射し一部を透過するビームスプリッタ機能を有する第１ミラー部材と、前記第１ミラー部材の後方に設けられ、前記表示絵柄として第１情報を表示する第１表示手段と、前記第１ミラー部材を挟んで前記第１表示手段とは反対側の反対側領域に設けられ、前記表示絵柄として第２情報を表示する第２表示手段と、を備え、前記第１ミラー部材と前記第１表示手段との間であって前記第１ミラー部材において前記第１情報の表示部位以外の部位には、当該部位を通過する光を遮蔽する光遮蔽手段が設けられ、前記第１ミラー部材において前記光遮蔽手段が設けられていない部位に前後に並べて、前記ビームスプリッタ機能を有する第２ミラー部材が設けられていることを特徴とする。
【発明の効果】
【０００９】
遊技演出の多様化を図るべく複数の表示手段からなる絵柄表示手段を用いつつも、その絵柄表示手段を遊技機背面側スペースに好適に設置することができる。
【発明を実施するための最良の形態】
【００１０】
＜第１の実施形態＞
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開して示す斜視図、図３はパチンコ機１０の背面図である。なお、図２では便宜上パチンコ機１０の遊技領域内の構成を省略している。
【００１１】
パチンコ機１０は、当該パチンコ機１０の外殻を形成する外枠１１と、この外枠１１に対して前方に回動可能に取り付けられた遊技機主部１２とを有する。外枠１１は木製又は合成樹脂製の板材を四辺に連結し構成されるものであって矩形枠状をなしている。パチンコ機１０は、外枠１１を島設備に取り付け固定することにより遊技ホールに設置される。
【００１２】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００１３】
本体枠１３には、前扉枠１４と裏パックユニット１５とがそれぞれ回動可能に支持されている。前扉枠１４は、正面視で左側を回動基端側、右側を回動先端側として本体枠１３に対して前方へ回動可能とされている。また、裏パックユニット１５は、正面視で左側を回動基端側、右側を回動先端側として本体枠１３に対して後方へ回動可能とされている。
【００１４】
前扉枠１４は、本体枠１３の前面側全体を覆うようにして設けられている。前扉枠１４には、後述する遊技領域のほぼ全域を前方から視認することができるようにした窓部２１が形成されている。窓部２１は略楕円形状をなし、透明性を有するガラス２２が嵌め込まれている。窓部２１の周囲には、各種ランプ等の発光手段が設けられている。例えば、窓部２１の周縁に沿ってＬＥＤ等の発光体を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００１５】
前扉枠１４における窓部２１の下方には、手前側へ膨出することで上下２段に膨出部３１，３２（上側膨出部３１、下側膨出部３２）が設けられている。上側膨出部３１には上方に開口した上皿３３が設けられ、下側膨出部３２には同じく上方に開口した下皿３４が設けられている。上皿３３は、後述する払出装置より払い出された遊技球を一旦貯留し、一列に整列させながら後述する遊技球発射装置側へ導くための機能を有する。また、下皿３４は、上皿３３内にて余剰となった遊技球を貯留する機能を有する。下側膨出部３２の右方には、手前側へ突出するようにして遊技球発射ハンドル３６が設けられている。遊技球発射ハンドル３６が操作されることにより、後述する遊技球発射装置から遊技球が発射される。
【００１６】
前扉枠１４の背面には、後述する払出装置により払い出される遊技球を上皿３３と下皿３４とに振り分けて流通させる通路形成ユニット３７が取り付けられている。その他、前扉枠１４の背面にはその回動先端側に、本体枠１３に対する施錠機構を構成する鉤金具３８が上下方向に複数設けられている。
【００１７】
本体枠１３は、外形が外枠１１とほぼ同一形状をなす樹脂ベース４１を主体として構成されており、その回動先端側には、前扉枠１４に設けられた鉤金具３８を挿入するための挿入孔４２が複数設けられている。鉤金具３８が挿入孔４２に挿入されることで、図示しない施錠装置が係止状態となり、前扉枠１４が本体枠１３に対して開放不能に施錠される。樹脂ベース４１の右下隅部には、施錠装置の解錠操作を行うためのシリンダ錠４３が設置されており、シリンダ錠４３の鍵穴に差し込んだキーを右に回すと本体枠１３に対する前扉枠１４の施錠が解かれるようになっている。なお、シリンダ錠４３の鍵穴に差し込んだキーを左に回すと外枠１１に対する本体枠１３の施錠が解かれるようになっている。
【００１８】
樹脂ベース４１の中央部には略楕円形状の窓孔４４が形成されている。樹脂ベース４１には、窓孔４４の下方に遊技球発射装置４５が取り付けられている。遊技球発射装置４５は、例えばソレノイド駆動式の発射機構を有しており、ソレノイドへの電気信号の入力により出力軸が伸縮方向に移動し、発射レール上の遊技球を遊技領域に向けて順次打ち出される。
【００１９】
また、樹脂ベース４１には遊技盤５１が着脱可能に取り付けられている。遊技盤５１は合板よりなり、遊技盤５１の前面に形成された遊技領域が樹脂ベース４１の窓孔４４を通じて本体枠１３の前面側に露出した状態となっている。
【００２０】
ここで、遊技盤５１の構成を図４に基づいて説明する。遊技盤５１には、ルータ加工が施されることによって前後方向に貫通する大小複数の開口部が形成されている。各開口部には一般入賞口５２、可変入賞装置５３、作動口５４、スルーゲート５５及び可変表示ユニット５６等がそれぞれ設けられている。一般入賞口５２、可変入賞装置５３及び作動口５４に遊技球が入ると、それが図示しない検知スイッチにより検知され、その検知結果に基づいて所定数の賞球の払い出しが実行される。その他に、遊技盤５１の最下部にはアウト口５７が設けられており、各種入賞口等に入らなかった遊技球はアウト口５７を通って遊技領域から排出される。また、遊技盤５１には、遊技球の落下方向を適宜分散、調整等するために多数の釘５８が植設されていると共に、風車等の各種部材（役物）が配設されている。
【００２１】
可変表示ユニット５６には、作動口５４への入賞をトリガとして図柄を可変表示する図柄表示部６１が設けられている。また、可変表示ユニット５６には、図柄表示装置部を囲むようにしてセンターフレーム６２が配設されている。センターフレーム６２の上部には、第１特定ランプ部６３及び第２特定ランプ部６４が設けられている。また、センターフレーム６２の上部及び下部にはそれぞれ保留ランプ部６５，６６が設けられている。下側の保留ランプ部６５は、図柄表示部６１及び第１特定ランプ部６３に対応しており、遊技球が作動口５４を通過した回数は最大４回まで保留され保留ランプ部６５の点灯によってその保留個数が表示されるようになっている。上側の保留ランプ部６６は、第２特定ランプ部６４に対応しており、遊技球がスルーゲート５５を通過した回数は最大４回まで保留され保留ランプ部６６の点灯によってその保留個数が表示されるようになっている。
【００２２】
第１特定ランプ部６３では、作動口５４への入賞をトリガとして所定の順序で発光色の切り替えが行われ、予め定められた色で停止表示された場合には大当たりが発生する。また、第２特定ランプ部６４では、遊技球のスルーゲート５５の通過をトリガとして所定の順序で発光色の切り替えが行われ、予め定められた色で停止表示された場合には作動口５４に付随する電動役物が所定時間だけ開放状態となる。
【００２３】
可変入賞装置５３は、通常は遊技球が入賞できない又は入賞し難い閉状態になっており、大当たりの際に遊技球が入賞しやすい所定の開放状態に切り換えられるようになっている。可変入賞装置５３の開放態様としては、所定時間（例えば３０秒間）の経過又は所定個数（例えば１０個）の入賞を１ラウンドとして、複数ラウンド（例えば１５ラウンド）を上限として繰り返し開放されるものが一般的である。
【００２４】
遊技盤５１には、内レール部６７と外レール部６８とが取り付けられており、これら各レール部６７，６８により誘導レールが構成され、遊技球発射装置４５から発射された遊技球が遊技領域の上部に案内されるようになっている。
【００２５】
次に、本体枠１３の背面における要部構成を図５を用いて説明する。図５は本体枠１３の背面図である。
【００２６】
遊技盤５１に取り付けられる可変表示ユニット５６には、その後方に音声ランプ制御装置７１が搭載されている。音声ランプ制御装置７１は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００２７】
また、遊技盤５１の背面において、可変表示ユニット５６や音声ランプ制御装置７１の下方には主制御装置７２が搭載されている。主制御装置７２は、遊技の主たる制御を司る機能（主制御回路）と、電源を監視する機能（停電監視回路）とを有する主制御基板を具備しており、当該主制御基板が透明樹脂材料等よりなる基板ボックスに収容されて構成されている。
【００２８】
なお、樹脂ベース４１の背面には係止金具７４が複数設けられており、これら係止金具７４によって、樹脂ベース４１に対して遊技盤５１が着脱自在に取り付けられている。
【００２９】
次に、パチンコ機１０の背面構成を図３を用いて説明する。
【００３０】
図３において、裏パックユニット１５は、透明性を有する合成樹脂により成形されてなる裏パック８１を備えている。裏パック８１は、樹脂ベース４１とほぼ同じ外寸法を有しかつ略中央部に矩形状の開口部８２ａを有するベース部８２と、パチンコ機１０後方に突出するようにしてベース部８２の開口部８２ａに設けられる保護カバー部８３とを有する。保護カバー部８３は左右側面及び上面が閉鎖されかつ下面のみが開放された略直方体形状をなし、少なくとも可変表示ユニット５６を囲むのに十分な大きさを有する。
【００３１】
ベース部８２には、その右上部に外部端子板８４が設けられている。外部端子板８４には各種の出力端子が設けられており、これらの出力端子を通じて遊技ホール側の管理制御装置に対して各種信号が出力される。
【００３２】
ベース部８２には、保護カバー部８３を迂回するようにして払出機構部が配設されている。すなわち、裏パック８１の最上部には上方に開口したタンク８６が設けられており、タンク８６には遊技ホールの島設備から供給される遊技球が逐次補給される。タンク８６の下方には、下流側に向けて緩やかに傾斜するタンクレール８７が連結され、タンクレール８７の下流側には上下方向に延びるケースレール８８が連結されている。ケースレール８８の最下流部には払出装置８９が設けられている。払出装置８９より払い出された遊技球は、払出装置８９の下流側に設けられた払出通路や遊技球分配部を経由して上皿３３や下皿３４に供給される。
【００３３】
ベース部８２において開口部８２ａの下方には、払出制御装置９１と電源・発射制御装置９２とが搭載されている。これら各制御装置９１，９２は、払出制御装置９１がパチンコ機１０後方となるように前後に重ねて配置されている。払出制御装置９１は、払出装置８９を制御する払出制御基板が基板ボックス内に収容されて構成されている。電源・発射制御装置９２は、電源・発射制御基板が基板ボックス内に収容されて構成されており、当該基板により、各種制御装置等で要する所定の電源が生成されて出力され、さらに遊技者による遊技球発射ハンドル３６の操作に伴う遊技球の打ち出しの制御が行われる。
【００３４】
次いで、遊技盤５１に取り付けられている可変表示ユニット５６について詳細に説明する。図６は、遊技盤５１に取り付けられた状態で可変表示ユニット５６の内部構造を示す縦断面図であり、図の左方がパチンコ機前方（遊技盤５１の表側）、右方がパチンコ機後方（遊技盤５１の裏側）である。なお、遊技盤５１の裏側には、可変表示ユニット５６以外に球通路等が設けられるが、説明の便宜上、図６では図示を省略している。
【００３５】
可変表示ユニット５６は、遊技盤５１の裏面側（背面側）に位置するようにして設けられており、遊技盤５１に形成された開口部１００を通じてパチンコ機前方から当該可変表示ユニット５６の視認が可能となっている。遊技盤５１には、その開口部１００の周縁部を囲うようにしてセンターフレーム６２が取り付けられている。なお、センターフレーム６２の正面視の形状については図４を参照されたい。
【００３６】
可変表示ユニット５６は、作動口５４への入賞をトリガとして図柄を可変表示するものであり、その図柄の可変表示を制御する表示制御装置１０５が可変表示ユニット５６の背面側に設けられている。また、表示制御装置１０５の後方に音声ランプ制御装置７１が設けられている。
【００３７】
遊技盤５１の開口部１００には透明板１０１が設けられており、透明板１０１を通じてその後方の可変表示ユニット５６の表示図柄が視認可能となっている。この透明板１０１が図柄表示部６１（図４参照）に相当する。透明板１０１は、遊技領域（遊技盤５１と前面ガラス２２との間の空間）を落下する遊技球が可変表示ユニット５６内に入らないようにする保護カバーでもある。なお、図６の構成では、遊技盤５１の裏面と面一となるように透明板１０１が設けられているが、これ以外に、遊技盤５１の表面と面一となるように透明板１０１を設置したり、遊技盤５１の裏面よりも後方側に透明板１０１を設置したりすることも可能である。
【００３８】
可変表示ユニット５６は、略直方体状をなす本体ケース１１１を有しており、その本体ケース１１１内に、第１表示手段としての７セグメント表示装置１１２と、第２表示手段としての補助演出実行装置１１３とが設けられるとともに、これら各装置１１２，１１３による表示情報を鏡面上で合成するミラー部材１１４が設けられている。本実施形態では、７セグメント表示装置１１２とミラー部材１１４とが一体化されることでミラーユニットＭＵが構成されている。
【００３９】
本体ケース１１１は、その上下方向の高さ寸法が遊技盤５１の開口部１００の上下方向の長さ寸法よりも大きいものとなっており、その前面側には、遊技盤５１の開口部１００とほぼ同じ大きさを有するケース開口部１１１ａが形成されている。また、本体ケース１１１の内壁面は黒色となっている。
【００４０】
そして、本体ケース１１１は、ケース開口部１１１ａの位置が遊技盤５１の開口部１００に一致するようにして遊技盤５１に取り付けられ、これにより本体ケース１１１の前面部においてケース開口部１１１ａを挟んで本体ケース１１１における上部分と本体ケース１１１における下部分とが遊技盤５１の裏面に重なる状態となっている。なお、上述した透明板１０１は、ケース開口部１１１ａを塞ぐようにして取り付けられている。
【００４１】
かかる場合、本体ケース１１１のケース開口部１１１ａよりも上方であって、遊技盤５１と前後に重複する部分が、補助演出実行装置１１３を収容するための収容スペースＳ２となっており、それよりも下方部分が、ミラーユニットＭＵを収容するための収容スペースＳ１となっている。要するに、パチンコ機前方から見ると、収容スペースＳ１に収容されているミラーユニットＭＵは透明板１０１を介してその背後に視認される一方、収容スペースＳ２に収容されている補助演出実行装置１１３は、遊技盤５１の裏側に隠れて視認されないようになっている。
【００４２】
ミラーユニットＭＵは、上部が奥側、下部が手前側となるようにして遊技盤５１に対して斜めに傾けて（傾倒させて）設置されている。具体的には、ミラー部材１１４はパチンコ機前方側が鏡面となっており、その上端部が本体ケース１１１の奥側の側板部に固定されるとともに、下端部が本体ケース１１１の手前側の側板部に固定されている。ミラーユニットＭＵを本体ケース１１１に固定するための構成として、例えば、本体ケース１１１の側壁にはミラー部材１１４を位置決めするための段差状のガイド部が設けられており、そのガイド部にミラー部材１１４の端部を載置することによって、ミラーユニットＭＵが所定の位置及び角度で設置されるようになっている。遊技盤５１に対するミラー部材１１４の傾斜角は、約４５°である。すなわち、突出部が本体ケース１１１の後方から前方に向かって約４５°の直線状に設けられている。そして、ミラー部材１１４の背面側に接するようにして７セグメント表示装置１１２が取り付けられている。また、補助演出実行装置１１３は、ミラーユニットＭＵの上方に配置され、その演出表示面を下方に向ける姿勢で本体ケース１１１内に取り付けられている。すなわち、ミラー部材１１４を挟んで７セグメント表示装置１１２とは反対側の反対側領域に補助演出実行装置１１３が設けられている。反対側領域に補助演出実行装置１１３が設けられていることにより、補助演出実行装置１１３にて表示される画像等は、ミラー部材１１４の表側の鏡面に投影表示されるようになっている。本実施形態では、本体ケース１１１の内壁面を黒色としたことによって本体ケース１１１にて補助演出実行装置１１３の画像が意図せず映し出されることを抑制している。なお、本体ケース１１１の内壁面は黒色である必要はない。但し、その壁面にて意図しない画像の反射が行われない構成とするのが望ましい。
【００４３】
ここで、ミラーユニットＭＵの構成について図７〜図９を用いて詳述する。図７（ａ）はミラーユニットＭＵの正面図、図７（ｂ）は図７（ａ）におけるＡ−Ａ線断面図である。図８はミラー部材１１４の拡大断面図、図９はミラーユニットＭＵの分解斜視図である。
【００４４】
ミラー部材１１４は、全体として矩形板状をなす透明のベース板１２１と、その裏面側に設けられるミラー形成層１２２とを有している。ベース板１２１は、縦寸法が横寸法よりも大きい縦長矩形状をなし透明性を有したアクリル板である。ベース板１２１の縦横寸法は、上述したようにミラーユニットＭＵを斜めに傾けて設けることを考慮して定められており、特に縦寸法は、ミラーユニットＭＵを斜めに傾けて設置した状態での鉛直高さ寸法が遊技盤５１の開口部１００の縦寸法と同じ又はそれよりも大きめとなるように定められている。ちなみに、横寸法は、遊技盤５１の開口部１００の横寸法と同じ又はそれよりも大きめとなるように定められている。
【００４５】
また、ミラー形成層１２２はベース板１２１の裏面全体に設けられており、ベース板１２１側が鏡面部（反射面）となっている。ミラー形成層１２２は、照射された光のほぼ全てを反射する一般的なミラーからなるミラー部１２３と、照射された光の一部を透過し残りの一部を反射するハーフミラー（ビームスプリッタ）からなるハーフミラー部１２４とを備えている。なお、ミラー部材１１４を正面視した場合にはミラー形成層１２２がベース板１２１の背後となるが、説明の便宜上、図７（ａ）では、ミラー形成層１２２のミラー部１２３及びハーフミラー部１２４を実線にて示している（後述する表示セグメント１２９も同様）。
【００４６】
ミラー形成層１２２の具体的構成を説明する。ミラー形成層１２２を構成するミラー部１２３とハーフミラー部１２４とは、ミラー部材１１４の平面方向に重複しないようにして互いに隣接して設けられている。ハーフミラー部１２４は、ミラー部材１１４の傾倒方向に直交する方向に並べて複数箇所に設けられている。具体的には、ハーフミラー部１２４は、ミラー部材１１４を縦方向に３分割した場合における略中央部に設けられており、ハーフミラー部１２４が設けられていない部分がミラー部１２３となっている。ハーフミラー部１２４は、左右方向に並ぶようにして３カ所に形成されており、それらはいずれも同一の大きさ及び形状を有するものとなっている。
【００４７】
各ハーフミラー部１２４は、７セグメント表示装置１１２によるセグメント表示をミラー前方に透過表示するものであり、７セグメント表示装置１１２のセグメント表示部分（表示セグメント１２９）に合わせて「８」の字状に形成されている。つまり、各ハーフミラー部１２４においては、縦長矩形状の外縁部分よりも内方にミラー部（以下、内側ミラー部１２３ａともいう）が２箇所設けられており、この内側ミラー部１２３ａを囲むようにして「８」の字状のハーフミラー部１２４が形成されている。したがって、ミラー部材１１４の後方に７セグメント表示装置１１２を取り付けた状態では、ハーフミラー部１２４と７セグメント表示装置１１２のセグメント表示部分とが前後に配置され、ハーフミラー部１２４を通じて、７セグメント表示装置１１２のセグメント表示がパチンコ機前方に透過表示されるようになっている。
【００４８】
ミラー部材１１４では、ミラー部１２３にて反射表示機能が実現されるとともに、ハーフミラー部１２４にて透過表示機能と反射表示機能とが実現される。かかる場合、反射表示を行う部位に対して透過表示を行う部位が重複して設けられている。図７（ｂ）で説明すると、ミラー部材１１４の鏡面部側の全面（すなわち、ミラー形成層１２２の全面）が反射表示部Ｐ１となり、それに重複してハーフミラー部１２４の形成部分が透過表示部Ｐ２となっている。透過表示部Ｐ２が「８」の字状に形成されており、その透過表示部Ｐ２を囲むようにして反射表示部Ｐ１が形成されていることとなる。よって、透過表示部Ｐ２よりも透過率が小さい反射表示部Ｐ１によって、透過表示部Ｐ１が囲まれて設けられているということができる。
【００４９】
ここで、ミラー形成層１２２についてより詳細な構成を図８により説明する。なお、図８では、上側がミラー部材１１４の裏面側であり、下側がミラー部材１１４の表側である。
【００５０】
ミラー形成層１２２は、アルミニウムやクロム等の金属薄膜からなるミラー金属膜１６１と、同じくアルミニウムやクロム等の金属薄膜からなるハーフミラー金属膜１６２と、保護膜１６３とが積層されて構成されている。ミラー金属膜１６１とハーフミラー金属膜１６２とはいずれも同様の金属材料よりなるが、アルミニウムやクロム等に対する不純物濃度の違いや膜厚の違いにより光反射率が異なるものとなっている。具体的には、ハーフミラー金属膜１６２では、ミラー金属膜１６１に比べて、アルミニウムやクロム等に対する不純物濃度を大きくしたり、又は膜厚を薄くしたりしている。また、保護膜１６３は、フッ化マグネシウム（ＭｇＦ2）の薄膜からなる。
【００５１】
ミラー部１２３では、ベース板１２１の裏面側にミラー金属膜１６１、ハーフミラー金属膜１６２及び保護膜１６３がこの順序で積層されて形成されている。また、ハーフミラー部１２４では、ベース板１２１の裏面側にハーフミラー金属膜１６２及び保護膜１６３がこの順序で積層されて形成されている。これにより、ベース板１２１に複数の各ミラー部１２３，１２４を形成することができ、複数の各ミラー部１２３，１２４のうちベース板１２１における裏面側にハーフミラー金属膜１６２及び保護膜１６３が積層されている部分をハーフミラー部１２４（透過表示部Ｐ２）とすることができる。
【００５２】
なお、ミラー形成層１２２は上記構成に限定されない。例えば、ミラー金属膜１６１やハーフミラー金属膜１６２として銀メッキ層を用いたり、保護膜１６３としてカゼインや炭酸カルシウム等を含有する塗料層の上に合成樹脂塗料層を形成した保護層を用いたりしてもよい。その他に、ミラー部１２３とハーフミラー部１２４とを、金属材料の代わりにシリコンを複数層に蒸着させて形成してもよいし、金属材料を蒸着させるのではなく金属材料を塗布することによって形成してもよい。
【００５３】
また、７セグメント表示装置１１２は、０〜９までの数字を表示可能な３つの数字表示部１２８を有する３桁のセグメント発光表示器であり、数字表示部１２８が表側となるように（すなわち、ミラー部材１１４側となるように）、ミラー部材１１４に組み付けられている。数字表示部１２８はそれぞれ７つの表示セグメント１２９により構成されており、これら７つの表示セグメント１２９が選択的に発光されることで、０〜９の数字が表示されるようになっている。表示セグメント１２９は、単色又は複数色で発光可能なＬＥＤによって構成されている。なお、表示セグメント１２９の光源はＬＥＤに限定されるものではなく、例えば白熱灯を用いてもよい。
【００５４】
７セグメント表示装置１１２は、３つの数字表示部１２８がミラー部材１１４のハーフミラー部１２４の位置にそれぞれ一致するようにしてミラー部材１１４に取り付けられている。言い換えれば、ミラー部材１１４のハーフミラー部１２４と７セグメント表示装置１１２の数字表示部１２８とはそれぞれ同ピッチで設けられている。７セグメント表示装置１１２をミラー部材１１４の背面側に取り付けた状態では、図７に示すように、ミラー部材１１４のハーフミラー部１２４を通じて７つの表示セグメント１２９が視認可能となっている。
【００５５】
ここで、ミラー部材１１４の製造方法を図１０を用いて説明する。なお、図１０では、上側がミラー部材１１４の裏面側であり、下側がミラー部材１１４の表側である。
【００５６】
先ずは、図１０（ａ）に示すように、ベース板１２１の裏面にマスキング治具１６５を取り付ける。マスキング治具１６５はハーフミラー部１２４と同一形状の開口部１６６を有する板材よりなり、その開口部１６６がハーフミラー部１２４の形成位置に重なるよう取り付けられる。そして、マスキング治具１６５の上からマスキング材を塗布した後に、マスキング治具１６５を取り外すと、図１０（ｂ）に示すように、ベース板１２１の裏面側にマスキング部１６７が形成されることとなる。
【００５７】
その後、図１０（ｃ）に示すように、ベース板１２１の裏面側からアルミニウムやクロム等の金属材料を蒸着することによりミラー金属膜１６１を成膜形成する。これにより、ミラー部１２３の形成位置にミラー金属膜１６１が形成されるとともに、マスキング部１６７上にもミラー金属膜１６１が形成される。そして、図１０（ｃ）の状態から溶剤等を用いてマスキング部１６７及びその上のミラー金属膜１６１を除去する。
【００５８】
なお、マスキング材及びマスキング材（マスキング部１６７）を除去する溶剤の組合せとして、例えば、ゴムや熱硬化性樹脂をマスキング材として用いる場合、そのマスキング材を除去する溶剤としてフッ素系剥離剤を用いればよい。
【００５９】
また、マスキング材として粘着性を有したマスキングテープを使用する場合、ハーフミラー部１２４を形成する場所にマスキングテープを貼着し、金属材料を蒸着させればよい。そして、金属材料を蒸着した後にマスキングテープを剥離すればよい。この場合、マスキングテープの剥離が容易に行われる場合、溶剤を用いることなくマスキング部１６７の除去を行うことができる。
【００６０】
続いて、図１０（ｄ）に示すように、ベース板１２１の裏面側からアルミニウムやクロム等の金属材料を再び蒸着することによりハーフミラー金属膜１６２を成膜形成する。ただし、上述したようにミラー金属膜１６１とハーフミラー金属膜１６２とは、アルミニウムやクロム等に対する不純物濃度や膜厚が相違するものとなっている。ハーフミラー金属膜１６２は、ベース板１２１の裏面全体に形成される。図１０（ｄ）の状態では、ミラー部１２３の形成位置にミラー金属膜１６１とハーフミラー金属膜１６２とが２層で形成され、ハーフミラー部１２４の形成位置にハーフミラー金属膜１６２が１層で形成されている。なお、図１０（ｄ）の工程におけるハーフミラー金属膜１６２の形成は、ハーフミラー部１２４を形成する周辺位置にのみ施してもよい。
【００６１】
その後、図１０（ｅ）に示すように、ベース板１２１の裏面側からフッ化マグネシウムをコーティングして保護膜１６３を成膜形成する。これにより、ハーフミラー金属膜１６２の裏面全体に保護膜１６３が形成され、ミラー部１２３とハーフミラー部１２４とを有するミラー部材１１４が完成する。
【００６２】
以上の一連の製造工程によれば、ベース板１２１の裏面側において、ミラー金属膜１６１とハーフミラー金属膜１６２と保護膜１６３とからなるミラー部１２３が形成されるととともに、そのミラー部１２３が設けられていない位置に、ハーフミラー金属膜１６２と保護膜１６３とからなるハーフミラー部１２４が形成される。これにより、表面側が面一となっているミラー部材１１４を良好に製造することができる。
【００６３】
ミラー部材１１４の製造方法としては、上記以外の方法も適用できる。例えば、図１０（ａ）〜（ｃ）の工程に代えて、次の各工程を（１）〜（３）の順序で実行する。
（１）ベース板１２１の裏面全体にミラー金属膜１６１を成膜形成する。
（２）ミラー金属膜１６１の上にマスキング治具１６５を設置する。
（３）その状態で、余分なミラー金属膜１６１（すなわち、ハーフミラー部１２４の形成位置のミラー金属膜１６１）を溶剤等で除去する。
そしてその後、図１０（ｄ）（ｅ）と同様に、ハーフミラー金属膜１６２を形成し、さらに保護膜１６３を形成する。
【００６４】
なお、ミラー部材１１４の製造方法としては上記の他に、縦長矩形状の板状（ミラー部材１１４と同じ大きさの板材）よりなるミラー板に開口部を設け、その開口部にハーフミラー材を嵌め込むものが考えられる。
【００６５】
次に、補助演出実行装置１１３について図１１を用いて詳細に説明する。図１１（ａ）は、補助演出実行装置１１３を演出表示面の前方（パチンコ機設置状態では下方）から見た図である。ここでは、説明の便宜上、図１１（ａ）を、補助演出実行装置１１３単体を正面から見た図とし、その手前側が補助演出実行装置１１３の前側、奥側が補助演出実行装置１１３の背後側とする。また、図１１（ｂ）は図１１（ａ）におけるＢ−Ｂ線断面図であり、図１１（ｃ）は図１１（ａ）におけるＣ−Ｃ線断面図である。
【００６６】
補助演出実行装置１１３は、上述した７セグメント表示装置１１２の可変表示に合わせて補助演出を実行する補助演出実行手段であり、本実施形態では液晶画像表示機能とランプ表示機能とを備える構成としている。すなわち、補助演出実行装置１１３は、液晶表示装置１３１とランプ表示装置１３２とを備えており、図１１（ａ）において中央に液晶表示装置１３１の液晶表示エリアが設けられるとともに、その上下及び左右の４カ所にランプ表示装置１３２のランプ表示エリアが設けられている。
【００６７】
補助演出実行装置１１３において、液晶表示装置１３１は横長矩形状の表示パネルを有しており、この液晶表示装置１３１の長辺部がパチンコ機１０の左右方向、短辺部がパチンコ機１０の前後方向となるようにして、補助演出実行装置１１３（可変表示ユニット５６）がパチンコ機に組み付けられるようになっている。液晶表示装置１３１は、ランプ表示装置１３２を構成する枠体１４１の背後に取り付けられている。
【００６８】
ランプ表示装置１３２の枠体１４１は、液晶表示装置１３１の表示パネルを囲むように形成される中央枠部１４２と、その中央枠部１４２の上下及び左右にそれぞれ張り出すように形成される張出枠部１４３，１４４，１４５，１４６とを有している。中央枠部１４２は、正面視で矩形状をなし、その前後方向に貫通している。各張出枠部１４３〜１４６にはそれぞれランプ表示部１４７が設けられており、このランプ表示部１４７によれば、液晶表示装置１３１の表示パネルを囲むようにしてランプ表示を行わせることが可能となっている。
【００６９】
各張出枠部１４３〜１４６に設けられるランプ表示部１４７について説明する。なお、ランプ表示部１４７はいずれも概ね同様の構成を有している。
【００７０】
ランプ表示部１４７は、互いに離間して設けられる前後２枚のミラー板１５１，１５２と、そのミラー板１５１，１５２の間の隙間空間に設けられる発光体１５３とを有している。２枚のミラー板１５１，１５２のうち前側（すなわち演出表示面側）のミラー板１５１は、照射された光の一部を透過し残りの一部を反射するハーフミラー（ビームスプリッタ）にて構成されているのに対し、背後側（すなわち演出表示面とは逆側）のミラー板１５２は、照射された光のほぼ全てを反射する一般的なミラーにより構成されている。これら２枚のミラー板１５１，１５２は互いに平行に設置され、これらにより合わせ鏡が構成されている。なお、ハーフミラーであるミラー板１５１において反射光と透過光の強さはほぼ同等である。発光体１５３は例えばＬＥＤ等の光源部材よりなり、各ランプ表示部１４７で３つずつ設けられている。
【００７１】
上記構成のランプ表示部１４７によれば、発光体１５３が発光する場合に、その発光体１５３から照射された光が前後一対のミラー板１５１，１５２の間（合わせ鏡内）にて反射を繰り返す一方、光の一部が前側のミラー板１５１を通じて前方に放出される。このため、補助演出実行装置１１３を正面側（ただし真正面を除く）から見ると、発光体１５３が何列にも連なっているように視認されることとなる。
【００７２】
また、ランプ表示装置１３２は２枚の可動扉１５５を有している。可動扉１５５は、中央枠部１４２に囲まれた中央開口部（前後貫通部）を開閉するものである。可動扉１５５は、液晶表示装置１３１の前方に設けられており、可動扉１５５が閉状態にあれば、その後方の液晶表示装置１３１の表示パネルが視認不可となり、可動扉１５５が開状態にあれば、その後方の液晶表示装置１３１の表示パネルが視認可能となる。可動扉１５５は、左右のランプ表示部１４７の後方を通って開閉動作し、可動扉１５５が開閉動作しても、ランプ表示部１４７の発光表示に何ら支障が及ばない構成となっている。
【００７３】
なお、可動扉１５５は非透明の板材である。ただし、可動扉１５５を半透明の板材にて構成したり、格子状、網目状などの扉体にて構成したりしてもよい。
【００７４】
左右２枚の可動扉１５５は、それぞれモータ等よりなるアクチュエータ（図示略）により開閉駆動されるようになっており、本実施形態では、左右の各可動扉１５５が各々独立して開閉駆動される構成となっている。つまり、左右の各可動扉１５５は両方同時に開放させることに加え、いずれか一方のみを開閉させることも可能である。ただし、１つのアクチュエータにより２枚の可動扉１５５を同時に開閉駆動する構成であってもよい。その他、可動扉１５５を１枚のみ、又は３枚以上設けたり、引き戸式の可動扉に代えて、回動式の扉体を用いたりすることも可能である。
【００７５】
また、ランプ表示装置１３２の枠体１４１において、各張出枠部１４３〜１４６のうち左右の張出枠部１４５，１４６（すなわち、液晶表示装置１３１の短辺部側の張出枠部）は、上下の張出枠部１４３，１４４（すなわち、液晶表示装置１３１の長辺部側の張出枠部）よりも張出寸法が大きくなるように形成されている。これは、左右２枚の可動扉１５５が開放された場合に、その可動扉１５５を左右の張出枠部１４５，１４６内に収納させるようにしているためである。張出枠部１４５，１４６において可動扉１５５を収納させるスペースは扉収納部１５６となっている。なお、左右の張出枠部１４５，１４６は、扉収納部１５６を遮蔽する遮蔽部材１５７が設けられており、収納部１５６が前側から視認されないようになっている。
【００７６】
本実施形態では、可変表示ユニット５６をパチンコ機１０に設置した場合において、各可動扉１５５がパチンコ機１０の左右方向に開閉動作する構成となっている。また、各可動扉１５５を収容する扉収納部１５６もパチンコ機１０の左右方向に展開して設けられている。したがって、各可動扉１５５がパチンコ機１０の前後方向に開閉動作する構成（扉収納部１５６がパチンコ機１０の前後方向に展開して設けられている構成）に比べて、各可動扉１５５の動作範囲を確保しやすくなる。また、可変表示ユニット５６として、パチンコ機前後方向の大きさが過度に大きくなることを抑制できる。
【００７７】
次に、上記構成の可変表示ユニット５６における図柄表示態様について図１２を用いて説明する。図１２において、（ａ）は７セグメント表示装置１１２の表示態様を示す図、（ｂ）は補助演出実行装置１１３の表示態様を示す図、（ｃ）は（ａ）（ｂ）の各表示態様をミラー部材１１４上で合成した状態を示す図である。なお、図１２（ｃ）は、パチンコ機前方より可変表示ユニット５６を視認した場合の視認画像のイメージである。
【００７８】
図１２（ａ）に示すように、７セグメント表示装置１１２では、３つの数字表示部１２８において数字の発光表示が行われる。ここでは、例示として発光表示が「７７７」である状態を示している。７セグメント表示装置１１２での７セグ表示情報が「第１情報」に相当する。
【００７９】
図１２（ｂ）に示すように、補助演出実行装置１１３では、左右の可動扉１５５が開状態となっており、液晶表示装置１３１の表示パネルが視認可能となっている。ここでは、例示として表示画像が「Ｖ」である状態を示している。なお、図示の状態とは異なり左右の可動扉１５５が閉状態であれば、液晶表示装置１３１の表示パネルは視認されず、補助演出実行装置１１３の中央部には可動扉１５５の表面部（表面部に描かれた絵柄、図形等）が見えるのみである。
【００８０】
また、同じく図１２（ｂ）では、液晶表示装置１３１の画像情報が表示される状態に加え、上下左右の各ランプ表示部１４７により発光表示される状態を示している。つまり、各ランプ表示部１４７では、その内部の発光体１５３が発光することで、放射状に広がる多数の光点が視認されるようになっている。補助演出実行装置１１３での補助演出表示情報（液晶表示装置１３１の画像情報、ランプ表示部１４７の発光情報を含む）が「第２情報」に相当する。
【００８１】
そして、図１２（ｃ）に示すように、ミラー部材１１４では、図１２（ａ）に示す７セグメント表示装置１１２の７セグ表示情報と、図１２（ｂ）に示す補助演出実行装置１１３の補助演出表示情報とが合成されて表示される。
【００８２】
詳しくは、７セグメント表示装置１１２の７セグ表示情報がハーフミラー部１２４を通じて透過表示されるとともに、補助演出実行装置１１３の補助演出表示情報がミラー部１２３及びハーフミラー部１２４にて反射表示される。このとき、ミラー部材１１４のほぼ中央部に７セグ表示情報が表示される。また、その７セグ表示情報の表示エリアに重なるようにして液晶表示装置１３１の画像情報が表示されるとともに、７セグ表示情報の表示エリアを囲むようにしてランプ表示部１４７の発光情報が表示される。
【００８３】
液晶表示装置１３１の画像情報の表示態様について補足すると、同画像情報は、ミラー部材１１４を構成する各ミラー部１２３，１２４（反射表示部Ｐ１）にて表示される。また、７セグメント表示装置１１２における発光している表示セグメント１２９と重なっているハーフミラー部１２４（透過表示部Ｐ２）においては、反射する光よりも透過する光の方が強くなる。このため、補助演出表示情報に対する７セグ表示情報の優位性が担保されることとなり、表示セグメント１２９が発光している部分においては、液晶表示装置１３１による画像情報よりも、表示セグメント１２９による７セグ表示情報の方が明確に表示されることとなる。本実施形態では、透過表示部Ｐ２における７セグ表示情報が表示されている部分では、補助演出表示情報が視認されない、又はほとんど視認されない。よって、透過表示部Ｐ２における表示セグメント１２９が発光している部分においては、表示セグメント１２９による７セグ表示情報のみが視認されることとなる。また、この場合、ハーフミラー部１２４によって、７セグメント表示装置１１２そのものがパチンコ機１０の前方から視認されてしまうことを抑制する効果を得ることができる。なお、表示セグメント１２９が発光している部分において、７セグ表示情報と補助演出表示情報との両方が視認されるようにしてもよい。この場合、表示セグメント１２９の発光の強さを調整すればよい（本実施形態よりも発光を弱くする）。
【００８４】
液晶表示装置１３１におけるランプ表示部１４７の発光情報について補足すると、同発光情報は、ミラー部１２３のみにて反射表示される（ハーフミラー部１２４では反射表示されない）。ランプ表示部１４７の発光情報をミラー部１２３のみにて反射表示されることにより、ランプ表示部１４７の発光情報と、表示セグメント１２９の発光情報（７セグ表示情報）とが重複してしまい、７セグ表示情報の補助演出表示情報に対する優位性が損なわれてしまうことを抑制できる。
【００８５】
また、本実施形態では、ハーフミラー部１２４の反射率と透過率とをほぼ同等となっており、ハーフミラー部１２４が全透過に近いものである場合と比較して、７セグメント表示装置１１２そのものを視認しづらくすることができる。
【００８６】
ここで、ミラー部材１１４は遊技盤５１に対して傾倒して設けられているため、パチンコ機前方からミラー部材１１４の表面（鏡面部）を視認することが可能である。したがって、遊技者は、ミラー部材１１４上において、７セグメント表示装置１１２の７セグ表示情報と補助演出実行装置１１３の補助演出表示情報との合成表示内容（図１２（ｃ）の表示内容）を視認できる。この場合、ミラー部材１１４をパチンコ機前方から視認すると、あたかも７セグメント表示装置１１２と補助演出実行装置１１３とが近接して設けられているように視認されることとなる。
【００８７】
次に、パチンコ機１０の電気的構成について、図１３のブロック図に基づいて説明する。なお、図１３では、信号ラインを実線矢印で示す。
【００８８】
主制御装置７２は、停電監視回路１７０とＣＰＵ１７１とを備えている。ＣＰＵ１７１は、当該ＣＰＵ１７１により実行される各種の制御プログラムや固定値データを記憶したＲＯＭと、そのＲＯＭ内に記憶される制御プログラムの実行に際して各種のデータ等を一時的に記憶するためのメモリであるＲＡＭと、割込回路やタイマ回路、データ入出力回路などの各種回路とを備えている。
【００８９】
主制御装置７２のＣＰＵ１７１には、払出制御装置９１のＣＰＵ１７２と音声ランプ制御装置７１のＣＰＵ１７３とが接続されている。ＣＰＵ１７１は、払出制御装置９１のＣＰＵ１７２に対して賞球コマンド等の各種コマンドを出力する一方、音声ランプ制御装置７１のＣＰＵ１７３に対して演出コマンド等の各種コマンドを出力する。また、主制御装置７２のＣＰＵ１７１には停電監視回路１７０を介して電源・発射制御装置９２から電力が供給される。停電監視回路１７０は、ＣＰＵ１７１に対して正常な電力量が供給されているか否かを監視している。
【００９０】
払出制御装置９１においてＣＰＵ１７２は、当該ＣＰＵ１７２により実行される制御プログラムや固定値データ等を記憶したＲＯＭと、ワークメモリ等として使用されるＲＡＭとを備えている。そして、ＣＰＵ１７２は、主制御装置７２側から入力した各種コマンドに基づいて、払出装置８９により賞球や貸し球の払出制御を実行する。
【００９１】
払出制御装置９１には、電源・発射制御装置９２が接続されている。また、払出制御装置９１の出力側には、主制御装置７２におけるＣＰＵ１７１が接続されている。
【００９２】
電源・発射制御装置９２は発射制御部を備えており、発射制御部は遊技者による遊技球発射ハンドル３６の操作に従って遊技球発射装置４５の発射制御を担うものであり、遊技球発射装置４５は所定の発射条件が整っている場合に駆動される。
【００９３】
音声ランプ制御装置７１においてＣＰＵ１７３は、当該ＣＰＵ１７３により実行される制御プログラムや固定値データ等を記憶したＲＯＭと、ワークメモリ等として使用されるＲＡＭとを備えている。そして、ＣＰＵ１７３は、主制御装置７２側から入力した各種コマンドに基づいて各種ランプ部２３〜２５やスピーカ部２６、及び表示制御装置１０５を制御するものである。
【００９４】
表示制御装置１０５は、音声ランプ制御装置７１からコマンドを入力することによって、７セグメント表示装置１１２、補助演出実行装置１１３（液晶表示装置１３１，発光体１５３及び可動扉１５５）を制御する。
【００９５】
次に、補助演出実行装置１１３、７セグメント表示装置１１２にて演出及び図柄の変動表示が行われる場合に表示制御装置１０５にて行われる表示制御処理について図１４のフローチャートを用いて説明する。図１４のフローチャートは、主制御装置７２から出力される変動パターンコマンドが音声ランプ制御装置７１を経由して表示制御装置１０５に入力されることに基づいて表示制御装置１０５により実行される。
【００９６】
表示制御処理におけるステップＳ１０１〜Ｓ１０３では、受信した変動コマンドがいずれの変動パターンコマンドであるかを判定する。ここで、変動パターンコマンドについて概略を説明する。変動パターンコマンドは、作動口５４への遊技球の入球時に主制御装置７２にて行われる大当たり抽選の結果に基づいて決定され、都度の表示演出に要する演出実行時間の情報を含むコマンドである。変動パターンコマンドとしては、特定当たり用コマンド、非特定当たり用コマンド、外れ用コマンドがあり、それら各々に複数のパターンが用意されている。表示制御装置１０５は、受信した変動パターンコマンドに基づいて、７セグメント表示装置１１２及び補助演出実行装置１１３にて行われる表示態様及び演出態様を決定する。すなわち、７セグメント表示装置１１２の停止図柄（停止数字）を決定するとともに、補助演出実行装置１１３による補助演出内容（演出パターン）を決定する。そして、上記の決定内容に基づいて７セグメント表示装置１１２と補助演出実行装置１１３との制御を実行する。
【００９７】
なお、大当たりには特定大当たりと非特定大当たりとがあり、特定大当たりとはその特定大当たりが終了した後に大当たり抽選に当選する確率が通常状態よりも高い高確率状態に移行する大当たりのことであり、非特定大当たりとはその大当たりが終了した場合に通常状態に移行する大当たりのことである。
【００９８】
外れ用変動パターンコマンドを受信した場合（ステップＳ１０１がＹＥＳの場合）、ステップＳ１０４に進み、外れ用変動表示決定処理を行う。これにより、７セグメント表示装置１１２にて所定期間に亘り図柄の変動表示が行われた後に異なる数字の組合せが停止表示される。
【００９９】
非特定大当たり用変動パターンコマンドを受信した場合（ステップＳ１０２がＹＥＳの場合）、ステップＳ１０５に進み、非特定大当たり用変動表示決定処理を行う。これにより、７セグメント表示装置１１２にて所定期間に亘り図柄の変動表示が行われた後に同じ数字の組合せが停止表示される。
【０１００】
その後、ステップＳ１０６では、可動扉開閉演出決定処理を行う。可動扉開閉演出決定処理では、非特定大当たりに当選していた場合における可動扉１５５による演出を決定する。続くステップＳ１０７では、演出表示決定処理を行う。演出表示決定処理では、可動扉１５５による開放演出が行われる場合に補助演出実行装置１１３における液晶表示装置１３１の液晶表示エリアにて行われる演出を決定する。演出表示決定処理を行ったら本表示制御処理を終了する。
【０１０１】
また、特定大当たり用変動パターンコマンドを受信した場合（ステップＳ１０３がＹＥＳの場合）、ステップＳ１０８に進み、特定大当たり用変動表示決定処理を行う。これにより、７セグメント表示装置１１２にて所定期間に亘り図柄の変動表示が行われた後に同じ数字の組合せが停止表示される。続くステップＳ１０９，Ｓ１１０では、上述したステップＳ１０６，Ｓ１０７と同様に、可動扉開閉演出決定処理と演出表示決定処理とを実行する。
【０１０２】
本実施形態では、特定大当たり又は非特定大当たりに当選していた場合、図柄の変動表示が終了した場合に同じ数字が付された図柄が停止表示される（ステップＳ１０５及びステップＳ１０８）。同じ数字の図柄が停止表示されることによって遊技者に特定大当たり又は非特定大当たりに当選したことを教示している。特定大当たりに当選していた場合には、可動扉１５５にて開閉を繰り返す演出を実行した後に最終的に可動扉１５５が開放される。非特定大当たりに当選していた場合には、可動扉１５５にて開閉を繰り返す演出を実行した後に最終的に可動扉１５５が閉鎖される。可動扉１５５の開閉によって特定大当たり又は非特定大当たりのいずれに当選していたかを遊技者に教示する。可動扉開閉演出決定処理（ステップＳ１０６，Ｓ１０９）ではこの可動扉１５５の動きを決定している。
【０１０３】
次に、可変表示ユニット５６の各種変動パターンを図１５を用いてより具体的に説明する。図１５（ａ）〜（ｃ）はそれぞれ、パチンコ機１０の前方から図柄表示部６１（図４参照）を通じて視認される可変表示ユニット５６の表示内容を示す変動パターン説明図である。
【０１０４】
図１５（ａ）では、７セグメント表示装置１１２の７セグ表示情報のみが表示されており、これが通常の変動パターンである。この場合、補助演出実行装置１１３による補助演出が行われていない。つまり、補助演出実行装置１１３では、左右の可動扉１５５が閉状態とされ、その背後の液晶表示装置１３１による表示画像は視認されない。また、上下左右の各ランプ表示部１４７により発光表示演出も停止されている。これは、選択される確率が最も高い変動パターンであり、１遊技回においてこの変動パターンのまま変動表示が行われる場合には大当たり期待度が低いものとなっている。
【０１０５】
図１５（ｂ）では、７セグメント表示装置１１２の７セグ表示情報が表示されることに加えて、補助演出実行装置１１３の各ランプ表示部１４７による発光表示演出が行われている。補助演出実行装置１１３の左右の可動扉１５５は閉状態のままであり、その背後の液晶表示装置１３１による表示画像は遊技者に視認されない。これは、例えば、先に変動停止する２つの７セグ数字（図の左＆中の数字）が同じ数字となる、いわゆるリーチ発生時に発生する変動パターンであり、この変動パターンが発生することで、最後に変動停止する７セグ数字（図の右数字）がリーチ数字と同じ数字で変動停止することの期待感を遊技者に持たせることができる。
【０１０６】
図１５（ｃ）では、７セグメント表示装置１１２の７セグ表示情報が表示されることに加えて、補助演出実行装置１１３において各ランプ表示部１４７による発光表示演出と、可動扉１５５が開放された状態での液晶表示装置１３１による画像表示演出とが行われている。液晶表示装置１３１の表示画像としては「Ｖ」が表示されている。これは、大当たりの発生に伴い、３つの７セグ数字が全て同じ数字となる場合に発生する変動パターンであり、この変動パターンが発生することで、大当たり状態に移行したことを遊技者に知らせることができる。
【０１０７】
なお、可変表示ユニット５６の変動パターンとして上記以外に例えば、
・７セグメント表示装置１１２の７セグ表示情報が表示されることに加えて、補助演出実行装置１１３において可動扉１５５が開放された状態での液晶表示装置１３１による画像表示演出が行われる変動パターン（ただし、各ランプ表示部１４７による発光表示演出は行われない）、
・遊技回ごとの変動開始時に、可動扉１５５が開放された状態で液晶表示装置１３１による画像表示演出が行われ、表示画像として大当たり期待度を示す予告表示（「熱い！」、「激熱」等）が表示される変動パターン、
・リーチ発生時に、可動扉１５５が開放された状態で液晶表示装置１３１による画像表示演出が行われ、表示画像として「リーチ！」が表示される変動パターン、
等々が適宜行われる。
【０１０８】
以上詳述した本実施の形態によれば、以下の優れた効果を奏する。
【０１０９】
可変表示ユニット５６では、ミラー部材１１４の透過表示部Ｐ１において、７セグメント表示装置１１２による７セグ表示情報がミラー部材１１４の前方へ透過表示されるため、ミラー部材１１４の後方に７セグメント表示装置１１２が設置される構成であっても、その７セグ表示情報がパチンコ機１０の前方から視認可能となる。また、ミラー部材１１４の反射表示部Ｐ２において、補助演出実行装置１１３による補助演出表示情報が反射表示されるため、その補助演出表示情報がパチンコ機１０の前方から視認可能となる。かかる場合、ミラー部材１１４では、７セグ表示情報と補助演出表示情報とが合成された表示情報が視認されることとなる。
【０１１０】
上記のように可変表示ユニット５６が複数の表示装置（７セグメント表示装置１１２、補助演出実行装置１１３）を備える構成であれば、その複数の表示装置を使って多種多様な演出を実現できる。ただしその反面、可変表示ユニット５６を実現するための表示ユニットの大型化が懸念される。これに対して本実施形態では、２つの表示装置を分散配置し、それらによる各表示情報をミラー部材１１４を使って合成する構成としたため、各表示装置を効率よく配置することができる。その結果、遊技演出の多様化を図るべく複数の表示装置からなる可変表示ユニット５６を用いつつも、その可変表示ユニット５６をパチンコ機１０の背面側スペースに好適に設置することができる。
【０１１１】
パチンコ機１０は、遊技ホールの島設備等に並べて設置され、その大きさに制限があるが、上記のように可変表示ユニット５６がパチンコ機１０の背面側スペースに好適に設置されることで、当該大きさの制限を超えることなく、多種多様な演出機能を具備する遊技機を実現できる。
【０１１２】
ミラー部材１１４の反射面のうち一部に透過表示部Ｐ２が設けられ、その透過表示部Ｐ２の背後に７セグメント表示装置１１２が設けられている。言い換えれば、ミラー部材１１４において７セグメント表示装置１１２の前方が限定的に透過表示部Ｐ２となっている。これにより、本来表示させたい７セグ表示情報をパチンコ機１０の前方に透過表示させることができるとともに、不要な部位等が余分に透けて遊技機前方から視認されてしまうといった不都合を抑制できる。
【０１１３】
７セグ表示情報における表示セグメント１２９が発光することで、ミラー部材１１４の透過表示部Ｐ２を通じてパチンコ機１０の前方から視認される。この場合、７セグ表示情報の表示状態と非表示状態（表示セグメント１２９の発光時と非発光時）とで、透過表示部Ｐ２を通じて視認される情報視認具合を大きく異ならせることができる。つまり、非発光の状態では７セグメント表示装置１１２そのものを視認しづらくすることができる一方、発光状態の表示セグメント１２９による７セグ表示情報のみを明確に視認させることができる。また、透過表示部Ｐ２の周囲が低透過率の反射表示部Ｐ１となるため、透過表示部Ｐ２を通じて視認される７セグ表示情報を際立たせることができる。
【０１１４】
ミラー部材１１４が斜めに傾いた状態で設置される構成では、パチンコ機１０前方から表示情報を視認する場合にその表示情報が傾倒方向に歪むことが考えられる。透過表示部Ｐ２を有する構成では、その影響が大きいと懸念される。この点、上記のとおり透過表示部Ｐ２がミラー部材１１４の傾倒方向に直交する方向に並べて設けられることで、７セグ表示情報の歪みによる悪影響を最小限に抑えることができる。
【０１１５】
ミラー部材１１４の反射面において透過表示部Ｐ２を含むエリアと、透過表示部Ｐ２を含まないエリアとで、補助演出実行装置１１３の表示機能（画像表示機能、発光表示機能）を各々異ならせることができる。これにより、一層多様な演出が可能となり、遊技者の遊技への注目度を高めることができる。
【０１１６】
７セグメント表示装置１１２による数字表示部１２８に合わせて透過表示部Ｐ１が設けられている。変動表示ワードとして文字が表示されるため、キャラクタや物体等の絵柄を表示する場合と比して、透過表示部Ｐ１の透過スペース（透過表示面積）を最小限に抑えることができる。これにより、ミラー部材１１４において補助演出実行装置１１３による補助演出表示情報が表示されない部分、すなわち透過表示部Ｐ１を極力小さくすることができ、反射表示部Ｐ２を広範囲にて確保できることとなる。
【０１１７】
補助演出実行装置１１３は、遊技盤５１の背後に隠れるようにして設けられている。この場合、パチンコ機１０の前方からは補助演出実行装置１１３が遊技者に直接視認されることを抑制し、ミラー部材１１４の反射表示部Ｐ２のみを介して補助演出実行装置１１３を遊技者に視認させることができる。
【０１１８】
補助演出実行装置１１３において可動扉１５５が作動することで補助演出実行装置１１３による表示態様が変更される。これにより、補助演出実行装置１１３による表示演出の多様化を図ることができる。また、可動扉１５５を備える構成では、その動作範囲も考慮しなければならないため、その分補助演出実行装置１１３の大型化を招くことが考えられる。本実施形態によれば、上述したとおり各表示装置を効率よく配置できることから、可変表示ユニット５６が大型化したとしてもパチンコ機１０が上記大きさの制限を超えることを抑制できる。
【０１１９】
＜第２の実施形態＞
本実施形態では、上記第１の実施形態にて説明した可変表示ユニット５６の構成の一部を変更しており、以下には可変表示ユニット５６について第１の実施形態との相違点を中心に説明する。本実施形態では、ミラーユニットＭＵを構成するミラー部材としてビームスプリッタ機能を有してなるミラー材を用い、そのミラー材の背面側に、一部（光透過部）を残してそれ以外の部位に光遮蔽手段を取り付けることで、当該ミラー材に反射表示部と透過表示部とを形成することとしている。この場合、ミラー材の前側全面が反射表示部となり、それに重複させて一部に透過表示部が形成されている。
【０１２０】
図１６は本構成におけるミラーユニットＭＵの分解斜視図である。図１７は本実施形態におけるミラーユニットＭＵの正面図であり、図１８は図１７におけるＤ−Ｄ線断面図である。なお、図１６では、前後に重ねて配置される各部材を左から右へと順に並べて示している。
【０１２１】
本実施形態では、ミラーユニットＭＵがミラー本体２００を備えており、そのミラー本体２００は、第１ミラー部材としてのハーフミラー材２０１を有している。ハーフミラー材２０１は、照射された光の一部を反射し一部を透過するビームスプリッタ機能を有しており、全体として矩形板状をなしている。ハーフミラー材２０１において透過率と反射率とはほぼ同じである。ハーフミラー材２０１は、透明性を有してなる合成樹脂材料をベース板として構成されており、そのベース板の裏面側に、ハーフミラー金属膜とその金属膜を保護する保護膜とが均一に形成されている。なお、ハーフミラー金属膜及び保護膜の構造は上記第１の実施形態と同様であり、ここでは説明を省略する。
【０１２２】
ハーフミラー材２０１の裏面側には光遮蔽手段としての黒色シート２０２が設けられている。黒色シート２０２は、光をほとんど透過しない薄膜からなる。黒色シート２０２は、ハーフミラー材２０１と縦横幅が同一となっており、ハーフミラー材２０１のほぼ全面に貼着されている。その黒色シート２０２には、複数の開口部２０３が設けられている。それら複数の開口部２０３は、７セグメント表示装置１１２の各数字表示部１２８における７つの表示セグメント１２９にそれぞれ対応するようにしてそれぞれ設けられている。すなわち、数字表示部１２８の前方に位置するようにして７つの開口部２０３がそれぞれ設けられている。これらの開口部２０３は、７セグメント表示装置１１２によるセグメント表示をミラー前方に透過表示するための表示窓を構成するものであり、本実施形態ではいずれも表示セグメント１２９と同一の大きさ及び形状を有するものとなっている。また、これらの開口部２０３は黒色シート２０２のほぼ中央部に形成されている。黒色シート２０２がシート状であるため、７セグメント表示装置１１２とハーフミラー材２０１とが大きく離間することを抑制できる。
【０１２３】
黒色シート２０２と７セグメント表示装置１１２との間には第２ミラー部材としての裏ハーフミラー材２０５が設けられている。裏ハーフミラー材２０５は、ハーフミラー材２０１と同じビームスプリッタ材によって構成されており、その縦横幅は７セグメント表示装置１１２の前面部と同一となっている。すなわち、裏ハーフミラー材２０５は、照射された光の一部を反射し一部を透過するビームスプリッタ機能を有しており、その透過率と反射率とはほぼ同じとなっている。この場合、ハーフミラー材２０１と裏ハーフミラー材２０５との光の反射率は同じである。また、裏ハーフミラー材２０５は、ハーフミラー材２０１に一体的に設けられたホルダ（図示略）により、黒色シート２０２に近接して設けられている（裏ハーフミラー材２０５と黒色シート２０２とが接していてもよい）。すなわち、ミラーユニットＭＵは、ミラー本体２００と裏ハーフミラー材２０５と７セグメント表示装置１１２とにより構成されている。
【０１２４】
なお、各ハーフミラー部２０１，２０５が同じビームスプリッタ材にて構成されるため、各ハーフミラー部材２０１，２０５を製造する場合に材料の種類が増加することがない。
【０１２５】
図１７に示すミラー本体２００において、ハーフミラー材２０１の裏面に黒色シート２０２が設けられている部位は、ミラー本体２００の後方に光を透過しない部位であり、これがミラー部２０７（図７の反射表示部Ｐ１に相当）となっている。また、ミラー本体２００において、ハーフミラー材２０１の裏面に黒色シート２０２が設けられてない部位（開口部２０３が設けられている部位）は、ミラー本体２００の後方に光を透過可能な部位であり、これがハーフミラー部２０８（図７の透過表示部Ｐ２に相当）となっている。また、ハーフミラー部２０８には前後に並んで裏ハーフミラー材２０５が設けられており、ハーフミラー部２０８及び裏ハーフミラー材２０５の重なり部分は、その前後を通じて光の透過が可能となっている。
【０１２６】
なお、黒色シート２０２は、７セグメント表示装置１１２における数字表示部１２８以外の部分において光を遮蔽できれば黒色である必要はなく、例えば、赤色、青色又は白色のものを用いてもよい。但し、濃色や黒色の方が光の反射率が低いため、濃色又は黒色のものを用いるのが望ましい。また、黒色シート２０２以外により光遮蔽手段を構成することも可能であり、例えば、ハーフミラー材２０１の裏面に光を遮蔽する光遮蔽塗料を塗布することによって光遮蔽手段を構成してもよい。光遮蔽塗料により光遮蔽手段を構成することにより、その光遮蔽手段の厚みを薄くすることが可能となる。
【０１２７】
反射機能と透過機能を有したハーフミラー材２０１の裏面側に黒色シート２０２を貼着することで、上記第１の実施形態におけるミラー部材１１４と同様に、一のミラー本体２００においてミラー部１２３とハーフミラー部１２４とを設けることが可能となる。これにより、７セグメント表示装置１１２による７セグ表示情報と補助演出実行装置１１３による補助演出表示情報とをミラー本体２００を介して遊技者に視認させることができる。また、黒色シート２０２の背面側に裏ハーフミラー材２０５を設けたことにより、ハーフミラー部１２４における光の透過率を小さくすることが可能となり、ハーフミラー部１２４において７セグメント表示装置１１２そのものが視認されることを抑制できる。
【０１２８】
黒色シート２０２を設けた構成では、ミラー本体２００において黒色シート２０２による光遮蔽が行われる部位（図１７におけるミラー部２０７）と光遮蔽が行われない部位（図１７におけるハーフミラー部２０８）とが存在することに起因して、それら各部位で光反射率に差異が生じることが考えられる。つまり、黒色シート２０２による光遮蔽が行われる部位では、ハーフミラー材２０１における光反射に加え黒色シート２０２における光反射も生じるため、光遮蔽が行われない部位（黒色シート２０２における開口部２０３が設けられている部位）よりも光反射率が大きくなる。本実施形態では、ハーフミラー部２０８と前後に並ぶようにして裏ハーフミラー材２０５が設けられている。裏ハーフミラー材２０５は光反射機能を有しているため、ハーフミラー部２０８の実質的な光反射率が大きくなり、ミラー部２０７の光反射率とハーフミラー部２０８の光反射率とが大きく異なることが抑制されるようになっている。
【０１２９】
ここで、本実施形態における７セグメント表示装置１１２について図１８を用いて説明する。
【０１３０】
７セグメント表示装置１１２は、ベースプレートとしてのケース体２１１と、各種電子部品等が実装される基板２１５と、基板２１５の片側面（部品実装面側）を覆うようにして設けられるカバー２１８と、を有している。基板２１５は、ケース体２１１とカバー２１８とが組み付けられた場合に形成される内部空間に設けられている。基板２１５のカバー２１８側の面に光源（発光素子）としてのＬＥＤ２１０が取り付けられている。
【０１３１】
ＬＥＤ２１０は、７セグメント表示装置１１２における各表示セグメント１２９のほぼ中央に位置するようにしてそれぞれ設けられている（図１７参照）。ミラー本体２００においては、ＬＥＤ２１０が発光することで、黒色シート２０２の各開口部２０３のうち該当する開口部２０３を通じて発光が視認されることとなる。
【０１３２】
７セグメント表示装置１１２は、基板２１５におけるＬＥＤ実装面がミラー本体２００側となるようにして裏ハーフミラー材２０５に取り付けられている。この場合、７セグメント表示装置１１２におけるカバー２１８が裏ハーフミラー材２０５に接している。
【０１３３】
カバー２１８には、基板２１５におけるＬＥＤ２１０の実装位置に合わせて複数の開口部２１９が設けられている。各開口部２１９には、カバー厚み方向（基板面に略直交する方向）に延びる囲い部２２０が形成されており、基板２１５上のＬＥＤ２１０は各々囲い部２２０にて包囲されるようになっている。囲い部２２０は、開口部２１９を囲む壁体により構成されており、７セグメント表示装置１１２をミラー本体２００に組み付けた状態（図１８に示す状態）で、裏ハーフミラー材２０５と基板２１５のＬＥＤ実装面との間においてその一方から他方に延びるようにして形成されている。なお、囲い部２２０は、基板２１５から裏ハーフミラー材２０５に近づくにつれ開口面積が大きくなるように形成されている。
【０１３４】
囲い部２２０内にＬＥＤ２１０を設けたことにより、所定のＬＥＤ２１０が発光した場合においてその発光に伴う７セグ表示情報の表示を適正に行わせることができる。例えば、所定のＬＥＤ２１０が発光した場合には、隣り合う他のＬＥＤ２１０への影響が懸念される。具体的には、隣り合う２つのＬＥＤ２１０が同時に発光した場合には、それら各ＬＥＤ２１０から照射された光線が交わり互いに干渉することが懸念される。また、隣り合う２つのＬＥＤ２１０について一方のみが点灯した場合には、点灯していない他方のＬＥＤ２１０に対応した表示セグメント１２９にて、点灯状態のＬＥＤ２１０の光が視認されてしまうことも懸念される。この点、上記のように囲い部２２０を設けた構成によれば、各ＬＥＤ２１０から照射された光線が交わることを抑制でき、７セグ表示情報の好適なる表示を実現できる。この場合、カバー２１８の各囲い部２２０により、各ＬＥＤ２１０から照射された光線が交わることを抑制できるため、これが干渉抑制手段（各ＬＥＤ２１０から照射された光が互いに干渉することを抑制する手段）として機能しているともいえる。
【０１３５】
カバー２１８の囲い部２２０内にＬＥＤ２１０が設けられていることにより、一のＬＥＤ２１０から発せられた光がその他のＬＥＤ２１０が設けられている開口部２１９から射出されることを抑制できる。すなわち、７セグメント表示装置１１２における一の表示セグメント１２９が点灯している場合に、その他の表示セグメント１２９が点灯しているように誤って視認されることを抑制できる。よって、７セグメント表示装置１１２が表示している７セグ表示情報と、ミラー本体２００前方から視認した場合の７セグ表示情報とが大きく異なってしまうことを抑制できる。この場合、カバー２１８は、７セグメント表示装置１１２におけるＬＥＤ２１０からミラー本体２００の裏側面までの領域を区画する区画部材として機能しているともいえる。
【０１３６】
以上詳述した本実施の形態によれば、以下の優れた効果を奏する。
【０１３７】
ハーフミラー材２０１と７セグメント表示装置１１２との間において、開口部２０３を有した黒色シート２０２を設けた。ハーフミラー材２０１を透過させて表示させたい７セグ表示情報についてはその透過表示を黒色シート２０２の開口部２０３にて好適に行わせ、かつそれ以外については透過表示を行わせないようにすることができる。これにより、７セグメント表示装置１１２そのものが視認されることを抑制できる。
【０１３８】
また、上記のように黒色シート２０２を設けた構成では、ミラー本体２００において黒色シート２０２による光遮蔽が行われる部位と光遮蔽が行われない部位とが存在することに起因して、それら各部位で光反射率に差異が生じることが考えられる。つまり、黒色シート２０２による光遮蔽が行われる部位では、ハーフミラー材２０１における光反射に加え黒色シート２０２における光反射も生じるため、光遮蔽が行われない部位（黒色シート２０２における開口部２０３が設けられている部位）よりも光反射率が大きくなる。そして、このミラー本体２００における光反射率の差異により、補助演出実行装置１１３の補助演出表示情報についてミラー本体２００上における表示の差異（表示ムラ）が生じることが懸念される。
【０１３９】
この点、ハーフミラー材２０１の背後において黒色シート２０２が設けられていない部位に前後に並べて裏ハーフミラー材２０５を設けたため、上記光反射率の差異を抑制できる。すなわち、ミラー本体２００において黒色シート２０２が存在することで光反射率が大きくなったとしても、黒色シート２０２が存在しない部位では、裏ハーフミラー材２０５が並設されることで上記光反射率の差異を抑制できる。これにより、補助演出実行装置１１３の補助演出表示情報についてミラー本体２００上における表示の差異（表示ムラ）を抑制できる。仮に、裏ハーフミラー材２０５が設けられていない構成においては、ミラー本体２００前方より光が照射された場合に７セグ表示情報の表示部位そのものが視認されることがある。これに対して本実施形態では、裏ハーフミラー材２０５によりハーフミラー部１２４の光の反射率を高め、７セグ表示情報が表示されていない場合（ＬＥＤ２１０の消灯時）に、７セグ表示情報の表示部位そのものが視認されることがなくなる。
【０１４０】
例えば、ミラー本体２００における表示の差異が大きい場合、その差異により、７セグ情報の表示部位（ハーフミラー部２０８）とそれ以外の部分（ミラー部２０７）との境界が目立ってしまうことが考えられる。本実施形態によれば、ミラー本体２００における光反射率の差異を解消できるため、７セグ表示情報の表示部位とそれ以外の部分との境界が目立ってしまうことを抑制する効果が得られる。
【０１４１】
また、裏ハーフミラー材２０５を黒色シート２０２の背後に設けたため、ハーフミラー部２０８以外において裏ハーフミラー材２０５の反射が生じることを抑制できる。つまり、裏ハーフミラー材２０５による光の反射は、ハーフミラー部２０８においてのみ機能することとなる。ハーフミラー部２０８以外においても裏ハーフミラー材２０５による反射が生じる場合、上記ミラー本体２００における光反射率の差異を解消する効果が低くなってしまう。本実施形態では、裏ハーフミラー材２０５による光の反射機能をハーフミラー部２０８にて良好に機能させることが可能となり、上記ミラー本体２００における光反射率の差異を解消する効果を高めることができる。
【０１４２】
裏ハーフミラー材２０５を、透過率及び反射率が異なるものに変更すれば、ミラー本体２００前方から視認される７セグ表示情報の鮮明さを変更することができる。例えば、７セグ表示情報の鮮明さを変更しようとする場合には、ミラー本体２００を交換しなくても、裏ハーフミラー材２０５を交換するだけでよく、簡易に変更作業を行うことができる。この点、裏ハーフミラー材２０５は、ミラー本体２００前方から７セグメント表示装置１１２までの透過率を調整する透過率調整手段として機能しているともいえる。
【０１４３】
また、ミラーユニットＭＵがハーフミラー材２０１とその背後の７セグメント表示装置１１２とにより構成されている場合、すなわち、黒色シート２０２及び裏ハーフミラー材２０５が設けられておらず、ハーフミラー材２０１の背面側に７セグメント表示装置１１２が設けられている場合には、７セグメント表示装置１１２そのものがミラー本体２００前方から視認されることが考えられる。これに対して本実施形態では、黒色シート２０２が設置されている部位においては７セグ表示装置１１２そのものが視認されることがなくなる。すなわち、７セグメント表示装置１１２から発せられた光がミラー本体２００前方側に到達する領域（ハーフミラー部１２４）を黒色シート２０２により明確に区分けすることができる。
【０１４４】
本実施形態によれば、光遮蔽手段として薄膜状の黒色シート２０２を用いたため、光遮蔽手段として厚肉の部材を用いた場合と比して７セグメント表示装置１１２とハーフミラー材２０１とが大きく離間することを抑制できる。これにより、７セグ表示情報が表示される場合に、ＬＥＤ２１０から発せられた光がハーフミラー材２０１に到達するまでに減衰又は拡散してしまうことを抑制できる。この場合、ＬＥＤ２１０の発光を弱くしたとしてもミラー本体２００前方から視認した７セグ表示情報を鮮明なものとする効果を得ることができる。さらに補足すると、仮に黒色シート２０２が設けられていない場合、７セグメント表示装置１１２そのものがミラー本体２００前方側から視認されにくくするには、ハーフミラー材２０１と７セグメント表示装置１１２とを大きく離間させる構成とすることが考えられるが、それでは７セグメント表示装置１１２（ＬＥＤ２１０）から発せられた光がハーフミラー材２０１に到達するまでに減衰又は拡散してしまうことが考えられる。この点、ハーフミラー材２０１と７セグメント表示装置１１２との間に黒色シート２０２を設け、かつ、その黒色シート２０２を薄膜状としたことにより、７セグメント表示装置１１２から発せられた光がハーフミラー材２０１に到達するまでに減衰又は拡散してしまうこと防止できる。
【０１４５】
さらに、黒色シート２０２に接して裏ハーフミラー材２０５を設けたため、裏ハーフミラー材２０５と黒色シート２０２との離間距離を小さくすることが可能となり、ひいては７セグメント表示装置１１２とハーフミラー材２０１との離間距離を小さくすることが可能となる。これにより、７セグメント表示装置１１２による７セグ表示情報をミラー本体２００前方から視認した場合に不鮮明なものとなることを抑制できる。
【０１４６】
＜第３の実施形態＞
本実施形態においても、可変表示ユニット５６の構成の一部を変更しており、以下には可変表示ユニット５６について第２の実施形態との相違点を中心に説明する。本実施形態では、ハーフミラー材２０１（ミラー部材）と黒色シート２０２（第１遮蔽手段）とからなるミラー本体２００の後方に第２遮蔽手段を設け、その第２遮蔽手段を、黒色シート２０２の開口部２０３に対して前後に並ぶ位置と、黒色シート２０２の開口部２０３に対して前後に並ばない位置とで移動させる構成としている。
【０１４７】
図１９は、本実施形態におけるミラーユニットＭＵの分解図である。なお、図１９では、前後に並べて配置される各部材を左から右へ順に並べて表示している。
【０１４８】
黒色シート２０２と７セグメント表示装置１１２との間には第２遮蔽手段としての可動板２３０が設けられている。可動板２３０は、７セグメント表示装置１１２の前面と縦横幅が同一となっており、その表側面が黒色シート２０２と同色（黒色）となっている。可動板２３０は、７セグメント表示装置１１２を遮蔽している場合に、７セグメント表示装置１１２における数字表示部１２８を遮蔽できるだけの大きさを有している。なお、可動板２３０は、黒色でなくともよく、例えば、赤色、青色又は白色によって構成されていてもよい。可動板２３０の後方が透けて視認されなければよい。また、可動板２３０の形状を変更してもよく、例えば、可動板２３０が矩形状ではなく円形をなしていてもよい。すなわち、可動板２３０が７セグメント表示装置１１２における表示セグメント１２９を遮蔽できるだけの大きさを有していればよい。さらには、黒色シート２０２と同色となっていなくともよく、可動板２３０の色を変更してもよい。
【０１４９】
可動板２３０は、ミラー本体２００と７セグメント表示装置１１２との間のスペースに設けられ、このスペース内を移動可能となっている。可動板２３０の駆動は図示しないアクチュエータにより行われ、アクチュエータの作動に伴い可動板２３０がミラー本体２００に沿って上下方向又は左右方向に移動する。７セグメント表示装置１１２における７セグ表示情報が表示されていない場合には、可動板２３０が７セグメント表示装置１１２の前方を遮蔽する位置に移動し、これが可動板２３０の閉鎖状態である。また、７セグ表示情報が表示される場合には、可動板２３０が７セグメント表示装置１１２の前方を開放する位置に移動し、これが可動板２３０の開放状態である。可動板２３０が開放状態及び閉鎖状態に切り替えられることにより、７セグ表示情報を視認できる状態と視認できない状態とが切り替えられる。
【０１５０】
これは、ミラー本体２００前方から７セグメント表示装置１１２までの区間における透過率を可動板２３０によって調整しているともいえる。この場合、可動板２３０が透過率調整手段として機能しているともいえる（閉鎖状態において透過率を０に調整している）。
【０１５１】
なお本実施形態では、図２０に示すように、本体ケース１１１に、その底部から上方に延びる取付台２１６が設けられており、当該取付台２１６に７セグメント表示装置１１２が取り付けられる。
【０１５２】
図２１を用いて開閉体としての可動板２３０の開放状態及び閉鎖状態について説明する。図２１（ａ）は可動板２３０の閉鎖状態を示しており、図２１（ｂ）は可動板２３０の開放状態を示すものである。
【０１５３】
図２１（ａ）では可動板２３０が、ミラー本体２００におけるハーフミラー部２０８と前後に並んでいる。この場合、ハーフミラー部２０８が光を透過しても、可動板２３０により、７セグメント表示装置１１２がミラー前方より視認されることが抑制される。
【０１５４】
図２１（ｂ）では可動板２３０が、ハーフミラー部１２４と前後に並ぶ位置からミラー本体２００の側方に移動している。この場合、７セグメント表示装置１１２における表示セグメント１２９が発光すると、ミラー本体２００前方よりその発光が視認される。
【０１５５】
可動板２３０の制御は音声ランプ制御装置７１による可動板制御処理にて実行されるものである。音声ランプ制御装置７１による可動板制御処理について図２２を用いて説明する。
【０１５６】
ステップＳ２０１では、変動パターンコマンドを主制御装置７２から受信したか否かを判定する。変動パターンコマンドを受信していた場合、ステップＳ２０２にて当該変動パターンコマンドに対応した音声ランプ制御装置７１のＲＡＭに設けられたタイマカウンタエリアにタイマの値をセットする。タイマの値をセットしたらステップＳ２０３に進み、可動板開放処理を実行する。可動板開放処理が実行されることにより、可動板２３０が開放状態に制御される。なお、タイマカウンタエリアは、音声ランプ制御装置７１にて別途行われるタイマカウンタ減算処理に減算されていくものである。本実施形態ではタイマカウンタエリアの値は２ｍｓｅｃ周期にて減算される。
【０１５７】
一方、ステップＳ２０１にて変動パターンコマンドを受信していなかった場合、ステップＳ２０４に進み、タイマカウンタエリアの値が０か否かを判定する。タイマカウンタエリアの値が０でなかった場合、そのまま本可動板制御処理を終了する。タイマカウンタエリアの値が０であった場合、ステップＳ２０５に進み、可動板閉鎖処理を実行する。可動板閉鎖処理が実行されることにより、可動板２３０が閉鎖状態に制御される。
【０１５８】
本可動板制御処理が実行されることにより、７セグメント表示装置１１２にて７セグ表示情報が表示される場合に、可動板２３０を開放状態に制御することができる。上述したように変動パターンコマンドは、１遊技回の期間を示すコマンドである。ステップＳ２０１にて変動パターンコマンドを受信した場合、変動パターンコマンドに対応した期間より若干長めに対応した値がタイマカウンタエリアにセットされる。例えば、変動パターンコマンドに対応した１遊技回の期間が１０秒であった場合、「５５００」がタイマカウンタエリアにセットされる。これにより、可動板２３０が１１秒に亘り開放状態に制御されることとなる。すなわち、７セグ表示情報の表示が終了して１秒間に亘り可動板２３０が開放状態に制御される。変動パターンコマンドは変動表示が終了した場合に即座に受信することがあり、７セグ表示情報が連続して表示され続けることがある。一の変動表示が終了した場合に、その都度、可動板２３０を閉鎖状態に制御するとすると、可動板開放処理と可動板閉鎖処理とが短い期間にて繰り返し実行されることとなり、音声ランプ制御装置７１に余分な処理負荷がかかることが考えられる。本可動板制御処理では、７セグ表示情報の表示が実行される期間が経過してから１秒間に亘り変動パターンコマンドを受信しなかった場合に可動板２３０を閉鎖状態に制御するため、連続して変動パターンコマンドを受信する場合に、可動板２３０を開放状態及び閉鎖状態に切り替える処理が連続して実行されることを抑制できる。
【０１５９】
本実施形態によれば、表示セグメント１２９が発光する場合（７セグ表示情報が表示される場合）に可動板２３０が開放状態に制御される。これにより、ミラー本体２００前方からハーフミラー部２０８を介して表示セグメント１２９の発光を視認できる。表示セグメント１２９が発光しない場合には、可動板２３０が閉鎖状態に制御される。これにより、表示セグメント１２９が発光しない場合には、可動板２３０により７セグメント表示装置１１２そのものがハーフミラー部２０８を介して視認されることを抑制できる。
【０１６０】
可動板２３０が閉鎖状態の場合、ハーフミラー部２０８の後方に光が透過されることがなくなる。すなわち、可動板２３０が黒色シート２０２の開口部２０３を塞ぐ役割を果たしている。これにより、ミラー部２０７とハーフミラー部２０８との反射率が異なることを抑制できる。
【０１６１】
また、黒色シート２０２と可動板２３０とが同色（黒色）になっており、これらの反射率が同等となっている。これにより、可動板２３０の閉鎖状態において、黒色シート２０２の後方に可動板２３０が設けられているとしても、ミラー本体２００前方から視認した場合にミラー部２０７とハーフミラー部２０８との反射率に差が生じることを抑制できる。
【０１６２】
＜他の実施形態＞
上述した実施の形態の記載内容に限定されず本発明を例えば次のように実施してもよい。ちなみに、以下の各構成を個別に上記実施の形態に対して適用してもよく、一部又は全部を組み合わせて上記実施の形態に対して適用してもよい。
【０１６３】
（１）上記各実施形態では、可変表示ユニット５６においてミラー部材１１４，２００を傾倒させて設置する構成として、ミラー部材１１４，２００の上部がパチンコ機１０の後方側に傾倒するようにして設けたが、ミラー部材１１４，２００の上部がパチンコ機１０の前方側に傾倒するようにして設けてもよい。この場合、補助演出実行装置１１３をミラー部材１１４，２００の反射方向に設置すればよい。
【０１６４】
ミラー部材１１４，２００がパチンコ機１０の前方側に対して平行に設けられていてもよい。この場合、補助演出実行装置１１３はミラー部材１１４，２００に対して画像を投影すればよい。
【０１６５】
また、ミラー部材１１４，２００を前後方向に傾倒させた構成に代えて、ミラー部材１１４，２００の左右両端のうちいずれか一方を、他方よりも前方に位置するように傾倒させて設けてもよい。この場合、ミラー部材１１４，２００が光を反射する方向に位置するように、補助演出実行装置１１３がパチンコ機１０の側方に設けられていればよい。
【０１６６】
また、上記各実施形態では、パチンコ機正面の遊技者に水平方向に対峙する位置（遊技者の視線方向を水平方向としてミラー部材１１４，２００が視認される位置）にミラー部材１１４，２００を配置したが、遊技者の正面位置からずらした位置にミラー部材１１４，２００を配置してもよい。すなわち、パチンコ機正面の遊技者に水平方向に対峙する位置よりも上下左右等のいずれかにずれた位置にミラー部材を配置する。この場合、ミラー部材１１４，２００が傾倒して設けられている必要はなく、例えば、ミラー部材１１４，２００が鉛直方向や水平方向に設けられていてもよい。
【０１６７】
上記各実施形態では、ミラー部材１１４，２００の表示情報（７セグ表示情報及び補助演出表示情報）を、パチンコ機正面の遊技者にミラー部材１１４，２００を介して視認されるように配置したが、パチンコ機正面の遊技者以外に視認されるようにしてもよい。例えば、複数の遊技機が並べて設置されている遊技ホールにおいては、ミラー部材１１４，２００の表示情報が隣の遊技機を遊技している遊技者から視認されるようにしてもよい。さらには、ミラー部材１１４，２００の表示情報が遊技ホールを歩行している歩行者から視認されるようにしてもよい。これらは、ミラー部材１１４，２００の配置位置及び配置角度を調整することによって本構成を実現できる。
【０１６８】
（２）ミラー部材１１４，２００の表面が湾曲していてもよい。ミラー部材１１４，２００の表面の形状によって補助演出実行装置１１３にて実行される演出の視認のされ方を変更することができる。例えば、ミラー部材１１４，２００の表面中央部が表面端部よりも凹んでいるものが考えられる。ミラー部材１１４，２００の表面が湾曲していても、ミラー部材１１４，２００の裏面が湾曲していないならば、上記実施の形態のように７セグメント表示装置１１２をミラー部材１１４，２００の裏面に設置すればよい。また、ミラー部材１１４，２００の裏面側も湾曲している場合には、７セグメント表示装置１１２における数字表示部１２８も湾曲しておりミラー部材１１４，２００の裏面側に接するようにして設置してもよい。
【０１６９】
ミラー部材１１４，２００は縦長矩形状をしていなくともよく、例えば、円形等の楕円形状や三角形、五角形等の多角形状をしていてもよい。この場合、補助演出実行装置１１３により実行される演出が照射される範囲に合わせてミラー部材１１４，２００の形状を決定すればよい。
【０１７０】
また、ハーフミラー部１２４，２０８がミラー部１２３，２０７に囲まれていなくともよい。この場合、ミラー部材１１４，２００において、ハーフミラー部１２４が形成されている位置に合わせて７セグメント表示装置１１２を設置すればよい。
【０１７１】
（３）上記各実施形態では、ハーフミラー部１２４，２０８の反射率と透過率とがほぼ同等となっていたが、ハーフミラー部１２４，２０８における反射率と透過率を変更してもよい。例えば、反射率と透過率との比率を３０：７０、４０：６０等のように「反射率＜透過率」としたり、６０：４０、７０：３０等のように「反射率＞透過率」としたりしてもよい。７セグ表示情報の透過表示と補助演出表示情報の反射表示とが行われることから反射率が３０〜７０％となっていることが望ましい。
【０１７２】
（４）上記各実施形態では、第１表示手段として、３桁の数字表示部１２８を有する７セグメント表示装置１１２を用いたが、これを変更してもよい。具体的には、７セグメント表示装置１１２の数字の桁数を３桁以外、例えば１桁、２桁、４桁以上のいずれかにしてもよい。また、複数の数字表示部１２８を有する構成では、数字の大きさを全て同一にする以外に、異なる大きさにしてもよい。例えば、３桁表示の場合に、中央の数字のみを大きくする、又は小さくする等してもよい。
【０１７３】
また、表示セグメントの数を７より少なくして表示可能な数字を減らしたり（例えば、「３」「７」のみを表示可能とする）、表示セグメントの数を７より多くして数字以外に英文字やカタカナ等の文字を表示可能にしたりしてもよい。
【０１７４】
セグメント表示器としては、ＬＥＤ等の発光体により表示セグメントを発光させるもの以外に、表示セグメントにそれぞれ開放状態及び開閉状態に切り替え可能な遮蔽物を設ける構成とし、その遮蔽物の開閉によって数字を変動表示させてもよい。
【０１７５】
また、第１表示手段として、多数の発光ドットを有するドット表示器や、液晶等のディスプレイ表示器、周回式表示器等を用いることも可能である。
【０１７６】
（５）上記各実施形態では、補助演出実行装置１１３の液晶表示装置１３１の表示エリア（情報表示範囲）を、ミラー部材１１４の反射面において透過表示部Ｐ１を含むエリアとしたが、同液晶表示装置１３１の表示エリアを、ミラー部材１１４，２００の反射面において透過表示部Ｐ１を含まないエリアとしてもよい。
【０１７７】
（６）ミラー部材１１４，２００の裏面側に、表示セグメント１２９がミラー裏面から離間するようにして７セグメント表示装置１１２を設けてもよい。例えば、ミラー部材１１４，２００の裏面側に脚部やスペーサを設け、その脚部やスペーサにより表示セグメント１２９をミラー裏面から離間させる構成とする（第３の実施形態では、取付台２１６を用いてミラー本体２００を離間して設ければよい）。又は、ミラー部材１１４，２００の裏面側において、可変表示ユニット５６の本体ケース１１１に支えられかつ表示セグメント１２９をミラー裏面から離間させた状態で７セグメント表示装置１１２を取り付ける構成とする。ただし、７セグメント表示装置１１２の透過視認性を確保する上では、表示セグメント１２９（情報表示部）とミラー裏面との距離が小さい方が望ましい。
【０１７８】
（７）７セグメント表示装置１１２による７セグ表示情報がミラー部材１１４，２００に反射表示され、補助演出実行装置１１３による補助演出表示情報がミラー部材１１４，２００に透過表示されてもよい。すなわち、７セグメント表示装置１１２がミラー部材１１４，２００の上方に配されており、補助演出実行装置１１３がミラー部材１１４，２００の後方に配されていてもよい。
【０１７９】
（８）補助演出実行装置１１３に可動扉１５５が設けられておらず、演出が行われる場合に液晶表示装置１３１における液晶表示エリアにて演出を行うための図柄が表示されてもよい。
【０１８０】
また、補助演出実行装置１１３において液晶表示装置１３１の代わりに装飾体を設け、その装飾体によって演出を実行してもよい。装飾体による演出として、装飾体として可動部材（可動役物）を設けその可動部材の動きによって演出を実行するものや、装飾体がランプ等の発光体を備えその発光体の発光態様によって演出を実行するもの等が考えられる。すなわち、装飾体を第２表示手段として用いてもよい。  
【０１８１】
（９）大当たり抽選処理及び表示制御処理におけるそれぞれの処理内容は上記実施の形態のものに限定されることはなく、例えば、主制御装置７２が大当たり抽選を行うとともに、７セグメント表示装置１１２における変動表示態様等を決定してもよい。この場合、主制御装置７２にて決定されたリーチパターン等に基づいて表示制御装置１０５が補助演出実行装置１１３や７セグメント表示装置１１２を制御すればよい。
【０１８２】
（１０）主制御装置７２から表示制御装置１０５にコマンドが出力されたことに基づいて、補助演出実行装置１１３における演出や７セグメント表示装置１１２における図柄の変動表示が行われてもよい。
【０１８３】
また、音声ランプ制御装置７１と表示制御装置１０５とが同一の装置であり、当該装置に主制御装置７２からコマンドが出力されることによって演出や図柄の変動表示が行われてもよい。
【０１８４】
（１１）上記第１の実施形態では、ミラー部材１１４に設けた３箇所のハーフミラー部１２４がそれぞれ８の字状に連続して設けられていた。すなわち、ハーフミラー部１２４には、ミラー部材１１４後方の表示情報（７セグ表示情報）を透過表示するための光透過部が８の字状に連続する部位として設けられていたが、この構成を変更してもよい。例えば、ハーフミラー部１２４を互いに離間され且つ８の字状に並べられた複数の光透過部により構成し、これら複数の光透過部により一の文字等を表示するようにしてもよい。そして、図７（ａ）で示したように、各ハーフミラー部１２４を左右に並ぶようにミラー部材１１４に設ければ、ミラー部材１１４において複数の文字を表示することができる。
【０１８５】
（１２）上記第２，第３の実施形態において、可変表示ユニット５６に設けられた黒色シート２０２における各開口部２０３は、７セグメント表示装置１１２における表示セグメント１２９ごとに分けて設けられていたが、それら各開口部２０３を繋げて形成し、各数字表示部１２８に対応して一体となる開口部としてもよい。すなわち、黒色シート２０２における開口部２０３が一の表示セグメント１２９に対応してそれぞれ設けられている必要はなく、７セグメント表示装置１１２における一の数字表示部１２８に対応して、連続する一繋ぎの開口部が設けられていてもよい。この場合、７セグメント表示装置１１２に設けられた複数の発光体群に対応して、黒色シート２０２に一の開口部が設けられているともいえる。例えば、開口部２０３が数字表示部１２８と前後に重なるようにして８の字状に設けられているものが考えられる。
【０１８６】
（１３）上記第２，第３の実施形態における７セグメント表示装置１１２では、基板２１５に実装された全てのＬＥＤ２１０がそれぞれカバー２１８の囲い部２２０内に設けられていたが、かかる構成を変更してもよい。例えば、各ＬＥＤ２１０が囲い部２２０により囲まれる構成をなくしてもよい。又は、囲い部２２０により囲まれるＬＥＤ２１０と、同囲い部２２０により囲まれないＬＥＤ２１０とが混在する構成であってもよい。
【０１８７】
また、囲い部２２０に囲まれるＬＥＤ２１０は単数である必要はなく、囲い部２２０に複数のＬＥＤ２１０が発光体群として囲まれていてもよい。
【０１８８】
（１４）上記第２の実施形態における裏ハーフミラー材２０５は、黒色シート２０２の後方に位置するようにして、かつ、黒色シート２０２と前後に重なるようにして設けられていたが（図１６参照）、裏ハーフミラー材２０５の位置を変更してもよい。
【０１８９】
例えば、黒色シート２０２の開口部２０３に対応させて、この開口部２０３にのみ裏ハーフミラー材２０５が設けられているものが考えられる。すなわち、開口部２０３内部に裏ハーフミラー材２０５が設けられる構成である。この場合、ハーフミラー材２０１と裏ハーフミラー材２０５との離間距離を小さくすることが可能となり、その距離縮小により、７セグメント表示装置１１２からハーフミラー材２０１までの離間距離を小さくすることが可能となる。よって、７セグメント表示装置１１２におけるＬＥＤ２１０から照射された光がミラー本体２００前面に到達するまでに減衰することを抑制する効果を得ることができる。なお、光遮断手段が黒色シート２０２に代えてアクリル等の合成樹脂板により形成され、その形状が変形しにくいものであれば、開口部２０３に裏ハーフミラー材２０５を嵌め込むことも可能である。
【０１９０】
また、裏ハーフミラー材２０５がミラー本体２００の表側面に取り付けられている構成が考えられる。
【０１９１】
（１５）上記第２の実施形態における裏ハーフミラー材２０５は、ハーフミラー材２０１と同じビームスプリッタ材にて構成されていたが、別材質によって構成されていてもよい。すなわち、裏ハーフミラー材２０５と、ハーフミラー材２０１との性質がそれぞれ異なっていてもよい。
【０１９２】
例えば、裏ハーフミラー材２０５の透過率をハーフミラー材２０１の透過率よりも小さくすれば、ハーフミラー部２０８における光透過率を低くすることができる。これにより、ＬＥＤ２１０が発光していない場合に、７セグメント表示装置１１２そのものが視認されることを抑制する効果を得ることができる。
【０１９３】
また、例えば、裏ハーフミラー材２０５の光反射率と黒色シート２０２の光反射率とを同じとすれば、ミラー部１２３とハーフミラー部１２４との光反射率が異なることを抑制し、補助演出実行装置１１３による補助演出表示情報を反射表示する場合にミラー本体２００において表示ムラが発生することを抑制できる。
【０１９４】
（１６）上記第２，３の実施形態におけるハーフミラー材２０１は、その裏面側（パチンコ機後方側）にハーフミラー金属膜及び保護膜が形成されていたが、その表面側（パチンコ機前方側）に、ハーフミラー金属膜及び保護膜が形成されていてもよい。すなわち、ハーフミラー材２０１が、透明性を有した本体と、ハーフミラー層とよりなっており、その本体の表側面にハーフミラー層を形成してもよい。この場合、ハーフミラー材２０１の表側面にて透過及び反射が実行されることとなる。例えば、ハーフミラー材２０１の表側面に接するようにして装飾体が設けられている構成においては、ハーフミラー材２０１の裏側面にて反射が実行されるとすると、ハーフミラー材２０１における本体の厚みにより、その装飾体が歪んで表示されてしまうことが考えられる。これに対して、ハーフミラー材２０１の表側面にて反射を実行する場合、ハーフミラー材２０１における本体の厚みによりハーフミラー材２０１に接している装飾体等の表示手段の情報を表示する場合に不具合が発生しない。すなわち、ミラー部材の表側面に表示手段が近接している構成においては、ハーフミラー材の表側面にて情報表示を行うことが望ましい。なお、ハーフミラー材２０１の表側面及び裏側面にそれぞれハーフミラー金属膜及び保護膜が形成されていてもよい。
【０１９５】
（１７）ミラーユニットＭＵの構成を図２３のように変更してもよい。図２３に示す構成では、上記第２の実施形態における裏ハーフミラー材２０５に代えて光拡散手段としての光拡散板２３２が設けられている。
【０１９６】
黒色シート２０２と７セグメント表示装置１１２との間に光拡散板２３２が設けられている。光拡散板２３２は、７セグメント表示装置１１２の前面部と縦横幅が同一である黒色板部２３５と、各数字表示部１２８に対してそれぞれ７箇所ずつ８の字状に配置されてなる曇加工部２３６とから構成されている。光拡散板２３２において、黒色板部２３５は光を遮断する部位となっているのに対し、曇加工部２３６は光透過性を有するが透明性を有さない部位となっている。
【０１９７】
曇加工部２３６は、黒色シート２０２の各開口部２０３と同形状をしており、各開口部２０３と前後に並べて配置されている（図１８における７セグメント表示装置１１２の開口部２１９の前方に位置している）。すなわち、曇加工部２３６は、黒色シート２０２の開口部２０３及び７セグメント表示装置１１２の表示セグメント１２９にそれぞれ重なるようにして組み付けられている。曇加工部２３６は、透明性を有した合成樹脂材料などの表面につや消し加工（スリガラス加工）が施されたものである。つや消し加工が施されていることにより、光は透過するが曇加工部２３６において光の進行方向が分散し曇加工部２３６を介してその反対側が鮮明に視認されないようになっている。すなわち、曇加工部２３６は、光は透過するが、前方から視認した場合にその後方を視認できないようになっている。よって、ＬＥＤ２１０が発光した場合には、曇加工部２３６を介してミラー本体２００前方からその発光を視認することができる。
【０１９８】
なお、曇加工部２３６として、光線散乱板、スリガラス又は拡散フィルムを用いることも可能である。例えば、曇加工部２３６が、多方向に乱反射させる加工が施された合成樹脂材料によって構成されているものが考えられるし、その表側面又は裏側面の少なくとも一方が曲面になっているものが考えられる。この場合でも、ＬＥＤ２１０から照射された光を拡散し、発光しているＬＥＤ２１０に対応した表示セグメント１２９全体が発光しているように視認させることができる。すなわち、曇加工部２３６は、照射された光を拡散する機能を有していればよい。
【０１９９】
ＬＥＤ２１０が発光した場合には、そのＬＥＤ２１０から発せられた光が曇加工部２３６を介して黒色シート２０２の開口部２０３に到達することとなる。上述したように、曇加工部２３６にてＬＥＤ２１０から照射された光が拡散する。これにより、表示セグメント１２９の中央部に設けられた一のＬＥＤ２１０が発光する構成においても（すなわち、表示セグメント１２９にて点発光する構成においても）、表示セグメント１２９全体から光が発せられているかのように（すなわち、表示セグメント１２９にて面発光しているかのように）ミラー本体２００前方から視認させることができる。ＬＥＤ２１０は白熱ライト等と比して光の指向性が強く、発光した場合にＬＥＤ２１０が設けられている部分とそれ以外の部分との差異が明確になると考えられるが（図１７に示したＬＥＤ２１０が設けられている部分のみが発光していることが視認される）、本実施形態によれば、ＬＥＤ２１０の前方に曇加工部２３６を設けたことにより、ＬＥＤ２１０の設けられている位置がミラー本体２００の前方から明確に視認されることを抑制できる。
【０２００】
なお、曇加工部２３６において光透過量を制限する（透過率を小さくする）ことにより、ミラー本体２００前方から視認されるＬＥＤ２１０の光の強さ（明るさ）を変更することが可能となる。この場合、曇加工部２３６が７セグ表示情報の表示態様を決定する透過率調整手段として機能しているともいえる。例えば、曇加工部２３６の透過率を小さくすれば、裏ハーフミラー材２０５の無い構成（図２３の構成）であっても、ミラー部２０７とハーフミラー部２０８との反射率に差異が生じることを抑制し、ミラー部２０７とハーフミラー部２０８との境界を目立たなくすることができる。
【０２０１】
図１８に示す構成において、裏ハーフミラー材２０５の前側又は後側のいずれかに光拡散板２３２を重ねて設置する構成が考えられる。この場合、裏ハーフミラー材２０５を設けたことにより、ミラー部２０７とハーフミラー部２０８との境界を目立たなくする効果が得られるとともに、光拡散板２３２を設けたことにより、ＬＥＤ２１０の発光部分（点発光部）が明確になってしまうことを抑制する効果を得ることが可能となる。
【０２０２】
（１８）光拡散板２３２の曇加工部２３６が黒色シート２０２の開口部２０３と同形状を有していたが、曇加工部２３６と開口部２０３とがそれぞれ異なる形状であってもよい。例えば、開口部２０３より曇加工部２３６の範囲を大きくすれば、開口部２０３全体を介してＬＥＤ２１０から発せられた光をミラー本体２００へと照射することができる。
【０２０３】
（１９）上記第２の実施形態では、光拡散手段（ＬＥＤ２１０から発せられた光を表示セグメント１２９ごとに拡散させるための構成）として、曇加工部２３６を有する光拡散板２３２を取り付けていたがこれを変更し、７セグメント表示装置１１２に光拡散手段を設けてもよい。例えば、図１８の構成において、カバー２１８の開口部２１９にそれぞれ曇加工板（磨りガラス板）を設けるものが考えられる。
【０２０４】
（２０）上記各実施形態とは異なる他のタイプの弾球遊技機、例えば他の役物を備えたパチンコ機、アレンジボール機、雀球等の遊技機にも適用できる。
【０２０５】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与するスロットマシンにも、本発明を適用できる。
【０２０６】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０２０７】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２０８】
特徴１．絵柄を表示する絵柄表示手段（可変表示ユニット５６）を備え、遊技機前面に設けられた絵柄視認部（図柄表示部６１）を通じて前記絵柄表示手段による表示絵柄が視認可能とされる遊技機であり、
前記絵柄表示手段は、
前記絵柄視認部の後方に設けられ、照射された光の一部を反射し一部を透過するビームスプリッタ機能を有する第１ミラー部材（ハーフミラー材２０１）と、
前記第１ミラー部材の後方に設けられ、前記表示絵柄として第１情報を表示する第１表示手段（７セグメント表示装置１１２）と、
前記第１ミラー部材を挟んで前記第１表示手段とは反対側の反対側領域に設けられ、前記表示絵柄として第２情報を表示する第２表示手段（補助演出実行装置１１３）と、
を備え、
前記第１ミラー部材と前記第１表示手段との間であって前記第１ミラー部材において前記第１情報の表示部位以外の部位には、当該部位を通過する光を遮蔽する光遮蔽手段（黒色シート２０２）が設けられ、
前記第１ミラー部材において前記光遮蔽手段が設けられていない部位に前後に並べて、前記ビームスプリッタ機能を有する第２ミラー部材（裏ハーフミラー材２０５）が設けられていることを特徴とする遊技機。
【０２０９】
特徴１の遊技機によれば、遊技に際し、絵柄表示手段の表示絵柄としての第１情報及び第２情報が絵柄視認部を通じて遊技者等に視認される。このとき、絵柄表示手段において、光遮蔽手段が設けられている部位と光遮蔽手段が設けられていない部位とのうち後者にて第１表示手段による第１情報が第１ミラー部材の前方から視認される。そのため、第１ミラー部材の後方（遊技機後方側）に第１表示手段が設置される構成であっても、その第１情報が遊技機前方から視認可能となる。また、第２表示手段による第２情報が第１ミラー部材の前面部における反射面に反射表示されるため、その第２情報が遊技機前方から視認可能となる。かかる場合、第１ミラー部材の反射面では、第１情報と第２情報とが合成された表示情報が視認されることとなる。
【０２１０】
上記のように絵柄表示手段が複数の表示手段（第１表示手段、第２表示手段）を備える構成であれば、その複数の表示手段を使って多種多様な演出を実現できる。ただしその反面、絵柄表示手段を実現するための表示ユニットの大型化が懸念される。この点、特徴１では、２つの表示手段を分散配置し、それらによる各表示情報を第１ミラー部材を使って合成する構成としたため、各表示手段（表示装置）を効率よく配置し、ひいては表示ユニットの大型化を抑制できる。その結果、遊技演出の多様化を図るべく複数の表示手段からなる絵柄表示手段を用いつつも、その絵柄表示手段を遊技機背面側スペースに好適に設置することができる。
【０２１１】
例えば、パチンコ機等の遊技機は、遊技ホールの島設備等に並べて設置され、遊技機自体の大きさに制限があるが、上記のように絵柄表示手段が遊技機背面側スペースに好適に設置されることで、遊技機自体の大きさの制限を超えることなく、多種多様な演出機能を具備する遊技機を実現できる。また、第２表示手段を第１ミラー部材から離間して設けることにより、その離間分だけ第２表示手段による第２情報が絵柄表示部の後方に離間しているかのように表示される。すなわち、第１ミラー部材と第２表示手段とが離間していることにより、第２情報の表示に立体感を持たせることができる。上述したように、遊技機自体の大きさには制限があり、絵柄表示部の後方に、絵柄表示部から離間して表示手段を設けることは困難なことがあるが、特徴１によれば、第２表示手段を設ける位置が絵柄表示部の後方に限定されないため、第２情報の表示に立体感を持たせる構成を良好に得ることができる（奥行きがあるように視認させることができる）。
【０２１２】
ビームスプリッタ機能を有する第１ミラー部材と第１表示手段との間において、第１ミラー部材における第１情報の表示部位とは異なる部位に光遮蔽手段を設けたため、第１ミラー部材を透過させて表示させたい第１情報についてはその透過表示を好適に行わせ、かつそれ以外（第１ミラー部材を透過させて表示させたくないもの）については透過表示を行わせないようにすることができる。
【０２１３】
また、上記のように光遮蔽手段を設けた構成では、第１ミラー部材において光遮蔽手段による光遮蔽が行われる部位と光遮蔽が行われない部位とが存在することに起因して、それら各部位で光反射率に差異が生じることが考えられる。つまり、光遮蔽手段による光遮蔽が行われる部位では、第１ミラー部材自身における光反射に加え光遮蔽手段における光反射も生じるため、光遮蔽が行われない部位よりも光反射率が大きくなる。そして、この第１ミラー部材における光反射率の差異により、第２表示手段の第２情報について第１ミラー部材上における表示の差異（表示ムラ）が生じることが懸念される。
【０２１４】
この点、第１ミラー部材の背後において光遮蔽手段が設けられていない部位に前後に並べて、ビームスプリッタ機能付きの第２ミラー部材を設けたため、第１ミラー部材における光反射率の差異を抑制できる。すなわち、第１ミラー部材において光遮蔽手段が存在することで光反射率が大きくなったとしても、光遮蔽手段が存在しない部位では、第２ミラー部材を並設することで第１ミラー部材における光反射率の差異を抑制できる。これにより、第２表示手段の第２情報について第１ミラー部材上における表示の差異（表示ムラ）を抑制できる。
【０２１５】
また、第１ミラー部材上における表示の差異が大きい場合、その差異により、第１ミラー部材において第１情報の表示部位とそれ以外の部分との境界が目立ってしまうことが考えられる。本特徴１によれば、第１ミラー部材における光反射率の差異を抑制できるため、第１ミラー部材において第１情報と表示部位とそれ以外の部分との境界が目立たないようにする効果が得られる。
【０２１６】
なお、本明細書において、「絵柄」とは、キャラクタ等を模した図柄や、数字等の文字が含まれる。また、「絵柄を表示する絵柄表示手段」には、画像表示器による画像情報を絵柄として表示するもの以外に、装飾体を用いて絵柄を表示するものが含まれる。また、「反対側領域」には、第１ミラー部材を挟んで第１表示手段の反対側であれば、第１ミラー部材の正面から外側に外れた領域も含まれる。
【０２１７】
また、「第１ミラー部材において第１情報の表示部位以外の部位」には、第１表示手段が第１情報を表示する部位と表示しない部位とを有する場合において、第１情報を表示しない部位がそれに含まれる。すなわち、例えば、第１表示手段を構成する表示装置において第１ミラー部材側の一部に情報表示部（７セグメント表示装置のセグメント部分等）が設けられる場合、その情報表示部以外の部位が「第１情報の表示部位以外の部位」に含まれる。また、「第１ミラー部材と第１表示手段との間」とは、第１ミラー部材よりも後方側でかつ、第１表示手段よりも前方側の領域を意味し、第１ミラー部材の後方であれば、第１表示手段と前後に重ならない部分も含まれる。
【０２１８】
特徴２．前記第２ミラー部材は、前記第１ミラー部材及び前記光遮蔽手段の背面側であり、かつ、前記第１表示手段の前方に位置するよう設けられていることを特徴する特徴１に記載の遊技機。
【０２１９】
特徴２によれば、第２ミラー部材自体は、第１ミラー部材及び光遮蔽手段の背後に隠れて配置される。そのため、第１ミラー部材において第１情報の表示部位とは異なる部位で第２ミラー部材の光反射が生じることはなく、第１情報の表示部位において過剰な光反射に伴う視認性の低下を抑制できる。
【０２２０】
特徴３．前記第１ミラー部材及び前記第２ミラー部材は、予め定められた遊技位置における前記絵柄視認部を通じての遊技者視線方向に対して斜めに傾いた状態で設けられていることを特徴とする特徴１又は２に記載の遊技機。
【０２２１】
特徴３の遊技機によれば、第１ミラー部材及び第２ミラー部材が絵柄視認部を通じての遊技者視線方向に対して傾いて設けられているため、絵柄視認部からは直接見えない位置、例えば、絵柄表示手段の上方又は下方等に第２表示手段が設けられていても、それを各ミラー部材に反射させて遊技者に視認させることができる。また、その傾きの角度を変更することによって、第２表示手段による第２情報を視線方向に反射する構成を簡易的に得ることができる。
【０２２２】
特徴４．前記第１ミラー部材及び前記第２ミラー部材は、前記絵柄視認部の後方において遊技機前面部に対して斜めに傾いた状態で設けられていることを特徴とする特徴１又は２に記載の遊技機。
【０２２３】
特徴４の遊技機によれば、第１ミラー部材及び第２ミラー部材が遊技機前面部に対して傾いて設けられているため、絵柄視認部からは直接見えない位置、例えば、絵柄表示手段の上方又は下方等に第２表示手段が設けられていても、それを各ミラー部材に反射させて視認させることができる。また、その傾きの角度を変更することによって、第２表示手段による第２情報を水平方向に反射する構成を簡易的に得ることができる。
【０２２４】
特徴５．前記第２ミラー部材の反射率が前記光遮蔽手段の反射率と同じであることを特徴とする特徴１乃至４のいずれか１に記載の遊技機。
【０２２５】
本特徴５によれば、第２ミラー部材が光遮蔽手段と同じ反射率となっているため、第１ミラー部材においてその後方に光遮蔽手段が設けられている部分とそれ以外の部分とで反射率を等しくすることが可能となる。反射率を等しくすることによって、上記第１ミラー部材における光反射率の差異を抑制する効果を高め、第２表示手段の表示情報について第１ミラー部材上における表示の差異を抑制する効果を高めることができる。
【０２２６】
特徴６．前記第１ミラー部材と前記第２ミラー部材とが同じビームスプリッタ材にて構成されていることを特徴とする特徴１乃至４のいずれか１に記載の遊技機。
【０２２７】
特徴６の遊技機によれば、各ミラー部材が同じビームスプリッタ材にて構成されている。第１ミラー部材と第２ミラー部材とが同じ材料にて構成されるため、各ミラー部材を製造する場合に材料の種類が増加することを抑制できる。
【０２２８】
特徴７．前記第１表示手段は、前記第１情報を発光表示させるものであることを特徴とする特徴１乃至６のいずれか１に記載の遊技機。
【０２２９】
特徴７の遊技機によれば、第１情報が発光表示されることで第１ミラー部材を通じて遊技機前方から視認される。この場合、第１情報の表示状態と非表示状態とで、第１情報の表示部位を通じて視認される情報視認具合を大きく異ならせることができる。つまり、非発光の状態では第１表示手段そのものを視認しづらくすることができる一方、発光状態の第１情報のみを明確に視認させることができる。
【０２３０】
特徴８．前記第１表示手段と前記第２表示手段とは、その表示形態が異なるものであることを特徴とする特徴１乃至７のいずれか１に記載の遊技機。
【０２３１】
特徴８の遊技機によれば、第１表示手段と第２表示手段とでは、各々異なる形態で情報表示が行われる。例えば、第１表示手段と第２表示手段とで表示手段の明るさが異なるものが考えられる（第１情報の方を明るくする）。より具体的には、第１表示手段を白熱灯やＬＥＤ等のランプ表示器とし第２表示手段を画像表示器とすることが考えられる。第１表示手段と第２表示手段との表示形態が異なるため、第１情報と第２情報との区分けを明確なものとすることができる。よって、第１情報及び第２情報が混同して視認されてしまうことを抑制する効果を高めることができる。
【０２３２】
特徴９．前記第１表示手段は発光表示による情報を表示するものであり、第２表示手段は装飾体を用いて情報を表示するものであることを特徴とする特徴８に記載の遊技機。
【０２３３】
特徴９によれば、第１及び第２表示手段により、発光による情報の表示、装飾体による情報の表示が実行される。これにより、第１及び第２表示手段による情報の表示態様を異ならせることが可能となり、第１情報と第２情報とが混同されて視認されることを抑制できる。
【０２３４】
特徴１０．前記第１ミラー部材は、前記第１情報の表示部位を複数有し、それら複数の表示部位が、前記第１ミラー部材の傾倒方向に直交する方向に並べて設けられていることを特徴とする特徴１乃至９のいずれか１に記載の遊技機。
【０２３５】
第１ミラー部材が斜めに傾いた状態で設置される構成では、遊技機前方から表示情報を視認する場合にその表示情報が傾倒方向に歪むことが考えられる。複数の表示部位を有する構成では、その影響が大きいと懸念される。この点、上記のとおり複数の表示部位が第１ミラー部材の傾倒方向に直交する方向に並べて設けられることで、表示情報の歪みによる悪影響を最小限に抑えることができる。例えば、第１ミラー部材の傾倒方向が前後方向である場合には、左右方向に並べて表示部位が設けられていればよい。
【０２３６】
特徴１１．前記第１ミラー部材は、前記第１情報の表示部位を複数有し、それら複数の表示部位によって一の文字等を表示するものであり、それら文字等が前記第１ミラー部材の傾倒方向に直交する方向に並ぶようにして前記複数の表示部位が設けられていることを特徴とする特徴１乃至１０のいずれか１に記載の遊技機。
【０２３７】
特徴１１によれば、第１ミラー部材が斜めに傾いた状態で設置される構成では、遊技機前方から表示情報を視認する場合にその表示情報が傾倒方向に歪むことが考えられる。複数の文字等を表示する構成では、その影響が大きいと懸念される。この点、上記のとおり複数の文字等が第１ミラー部材の傾倒方向に直交する方向に並ぶように複数の表示部位が設けられることで、表示情報の歪みによる悪影響を最小限に抑えることができる。例えば、第１ミラー部材の傾倒方向が前後方向である場合には、左右方向に並べて表示部位が設けられていればよい。
【０２３８】
特徴１２．前記第１表示手段は、前記第１情報として文字等のワードを所定個分変動表示させる表示器であり、
前記第１表示手段による変動表示ワードに合わせて前記第１情報の表示部位が形成されていることを特徴とする特徴１乃至１１のいずれか１に記載の遊技機。
【０２３９】
特徴１２の遊技機によれば、第１表示手段による変動表示ワードに合わせて第１情報の表示部位が設けられている。変動表示ワードとして文字等が表示されるため、キャラクタや物体等の絵柄を表示する場合と比して、表示スペース（透過表示面積）を最小限に抑えることができる。これにより、本来表示させたい第１情報とは異なるものが透過表示されるといった不都合を抑制できる。
【０２４０】
特徴１３．前記第１表示手段は、前記第１情報として複数の表示セグメント（表示セグメント１２９）によりなる数字等を表示するセグメント表示器（７セグメント表示装置１１２）であり、
前記セグメント表示器による表示セグメントに合わせて表示部位が形成されていることを特徴とする特徴１乃至１２のいずれか１に記載の遊技機。
【０２４１】
特徴１３の遊技機によれば、セグメント表示器の表示セグメントに合わせて表示部位が形成されている。表示セグメントにより数字等が表示されるため、キャラクタや物体等の絵柄を表示する場合と比して、表示スペース（透過表示面積）を最小限に抑えることができる。これにより、本来表示させたい第１情報とは異なるものが透過されるといった不都合を抑制できる。
【０２４２】
特徴１４．遊技機前面側に設けられた前面部材（遊技盤５１）に開口部（開口部１００）が形成され、その開口部が前記絵柄視認部であり、
前記第１ミラー部材は、前記開口部の遊技機後方に設けられている一方、前記第２表示手段は、前記前面部材の開口部以外の部位の背後に設けられていることを特徴とする特徴１乃至１３のいずれか１に記載の遊技機。
【０２４３】
特徴１４の遊技機によれば、第２表示手段は、前面部材の背後に隠れるようにして設けられている。この場合、遊技機前方からは第２表示手段を直接視認することが困難となるが、第１ミラー部材の反射面を介して視認できる。
【０２４４】
特徴１５．前記第２表示手段は、作動することにより前記第２情報の表示態様を変更する可動部材（可動扉１５５）を備えていることを特徴とする特徴１乃至１４のいずれか１に記載の遊技機。
【０２４５】
特徴１５の遊技機によれば、第２表示手段において可動部材が作動することで第２情報の表示態様が変更される。これにより、第２表示手段による表示演出の多様化を図ることができる。また、可動部材を備える構成では、その作動エリアを確保しなければならないため、その分装置（表示ユニット）の大型化を招くことが考えられる。この点、上記のごとく第１ミラー部材を用いた絵柄表示手段の構成によれば各表示手段（表示装置）を効率よく配置できることから、遊技機自体の大型化を極力抑制できる。
【０２４６】
特徴１６．前記第２表示手段は画像表示器（液晶表示装置１３１）を備えており、
前記可動部材は、前記画像表示器の表示面を隠した遮蔽状態と隠さない開放状態とに切替可能な開閉扉体であることを特徴とする特徴１５に記載の遊技機。
【０２４７】
特徴１６の遊技機によれば、可動部材としての開閉扉体によって画像表示器の表示画像を視認させる状態と視認させない状態とに切り替えることができる。これにより、開閉扉体を作動させて画像表示器が視認可能な開放状態となった場合において画像表示器への注目度を高めることができる。
【０２４８】
特徴１７．前記第２表示手段は、各々個別に表示演出を行う複数の表示機能を有し、
前記複数の表示機能のうち一の表示機能は、前記第１ミラー部材の反射面における情報表示範囲を前記第１情報の表示部位を含むエリアとして表示演出を行うものであり、他の表示機能は、同情報表示範囲を前記第１情報の表示部位を含まないエリアとして表示演出を行うものであることを特徴とする特徴１乃至１６のいずれか１に記載の遊技機。
【０２４９】
特徴１７の遊技機によれば、第１ミラー部材の反射面において第１情報の表示部位を含むエリアと、第１情報の表示部位を含まないエリアとで、第２表示手段の表示機能を各々異ならせることができる。これにより、一層多様な演出が可能となり、遊技への注目度を高めることができる。例えば、第１ミラー部材の反射面において第１情報の表示部位を含むエリアの表示機能は、画像表示器（液晶表示装置１３１）による画像表示機能であり、第１情報の表示部位を含まないエリアの表示機能は、発光表示部（ランプ表示装置１３２）によるランプ表示機能である。
【０２５０】
特徴１８．前記第１表示手段は、複数の発光体（ＬＥＤ２１０）を有し、その複数の発光体のうちいずれを発光させるかにより前記第１情報を変化させるものであり、
前記複数の発光体について個々の発光体ごとに、又は所定の発光体群ごとに、当該発光体又は発光体群を囲む囲い部（カバー２１８における囲い部２２０）が設けられていることを特徴とする特徴１乃至１７のいずれか１に記載の遊技機。
【０２５１】
特徴１８によれば、囲い部を設けたことにより、所定の発光体又は所定の発光体群の発光に伴う第１情報の表示を適正に行わせることができる。つまり、所定の発光体又は所定の発光体群が発光した場合には、隣り合う他の発光体への影響が懸念される。例えば、隣り合う２つの発光体が同時に発光した場合には、それら各発光体の光の干渉が懸念される。この点、上記構成によれば、光の干渉等の不都合を抑制でき、第１情報の好適なる表示を実現できる。
【０２５２】
また、囲い部を設けたことにより、一の発光体又は発光体群から発せられた光が、発光していない発光体又は発光体群に対応した表示部位から発せられることを抑制できる。よって、一の発光体又は発光体群が発光した場合に、その他の発光体又は発光体群に対応した表示部位に影響を及ぼすことを抑制できる。
【０２５３】
特徴１９．前記第１表示手段は、前記発光体が実装される基板（基板２１５）を備え、
前記囲い部は、前記第２ミラー部材及び前記光遮蔽手段のうち前記第１表示手段の直前に設けられる部材と前記基板の発光体実装面との間において、その一方から他方に延びる壁体により構成されていることを特徴とする特徴１８に記載の遊技機。
【０２５４】
特徴１９によれば、第１表示手段の直前部材（第２ミラー部材及び光遮蔽手段のうちいずれか）と基板の発光体実装面との間において囲い部の壁体が設けられることで、各囲い部における発光体の光の漏洩、すなわち隣の発光部分への悪影響を抑制できる。したがって、所定の発光体又は所定の発光体群の発光に伴う第１情報の表示を一層適正に行わせることができる。
【０２５５】
特徴２０．前記発光体は、点発光光源であり、
前記発光体ごと又は所定の発光体群ごとに、光を拡散させる光拡散手段（光拡散板２３２における曇加工部２３６）が設けられていることを特徴とする特徴１８又は１９に記載の遊技機。
【０２５６】
特徴２０の遊技機によれば、光拡散手段にて光が拡散されることにより、発光体が点発光するものであっても、第１表示手段で面発光が行われているようになる。これにより、第１表示手段の各光表示エリア（７セグメント表示装置の各表示セグメント）において、最小個数の発光体を用いつつ、当該発光エリアでの均一発光を実現できる。
【０２５７】
特徴２１．絵柄を表示する絵柄表示手段（可変表示ユニット５６）を備え、遊技機前面に設けられた絵柄視認部（図柄表示部６１）を通じて前記絵柄表示手段による表示絵柄が視認可能とされる遊技機であり、
前記絵柄表示手段は、
前記絵柄視認部の後方に設けられ、照射された光の一部を反射し一部を透過するビームスプリッタ機能を有する第１ミラー部材（ミラー本体２００）と、
前記第１ミラー部材の後方において当該ミラー部材の一部領域以外に設けられ、光を遮蔽する光遮蔽手段（黒色シート２０２）と、
を備え、
前記ビームスプリッタ機能を有する第２ミラー部材（裏ハーフミラー材２０５）が、前記第１ミラー部材において前記光遮蔽手段が設けられていない部位に前後に並べて設けられていることを特徴とする遊技機。
【０２５８】
特徴２１の遊技機によれば、第１ミラー部材において光遮蔽手段による光遮蔽が行われる部位と光遮蔽が行われない部位とが存在することに起因して、それら各部位で光反射率に差異が生じることが考えられる。つまり、光遮蔽手段による光遮蔽が行われる部位では、第１ミラー部材自身における光反射に加え光遮蔽手段における光反射も生じるため、光遮蔽が行われない部位よりも光反射率が大きくなる。そして、この第１ミラー部材における光反射率の差異により、第１ミラー部材上における表示の差異（表示ムラ）が生じることが懸念される。
【０２５９】
この点、第１ミラー部材の背後において光遮蔽手段が設けられていない部位に前後に並べて、ビームスプリッタ機能付きの第２ミラー部材を設けたため、第１ミラー部材における光反射率の差異を抑制できる。すなわち、第１ミラー部材において光遮蔽手段が存在することで光反射率が大きくなったとしても、光遮蔽手段が存在しない部位では、第２ミラー部材を並設することで第１ミラー部材における光反射率の差異を抑制できる。これにより、第１ミラー部材上における表示の差異（表示ムラ）を抑制できる。
【０２６０】
特徴２２．絵柄を表示する絵柄表示手段（可変表示ユニット５６）を備え、遊技機前面に設けられた絵柄視認部（図柄表示部６１）を通じて前記絵柄表示手段による表示絵柄が視認可能とされる遊技機であり、
前記絵柄表示手段は、
前記絵柄視認部の後方に設けられ、照射された光の一部を反射し一部を透過するビームスプリッタ機能を有するミラー部材（ハーフミラー材２０１）と、
前記ミラー部材の後方に設けられ、前記表示絵柄として第１情報を表示する第１表示手段（７セグメント表示装置１１２）と、
前記ミラー部材を挟んで前記第１表示手段とは反対側の反対側領域に設けられ、前記表示絵柄として第２情報を表示する第２表示手段（補助演出実行装置１１３）と、
を備え、
前記ミラー部材と前記第１表示手段との間であって前記ミラー部材において前記第１情報の表示部位以外の部位には、当該部位を通過する光を遮蔽する第１遮蔽手段（黒色シート２０２）が設けられ、
前記第１遮蔽手段の後方には、前記ミラー部材において前記第１遮蔽手段が設けられていない部位にて光の透過を許容する光透過状態と同部位にて光の透過を遮断する光遮断状態とで動作可能な第２遮蔽手段（可動板２３０）が設けられていることを特徴とする遊技機。
【０２６１】
特徴２２の遊技機によれば、遊技に際し、絵柄表示手段の表示絵柄としての第１情報及び第２情報が絵柄視認部を通じて遊技者等に視認される。このとき、絵柄表示手段において、光遮蔽手段が設けられている部位と設けられていない部位とのうち後者にて第１表示手段による第１情報がミラー部材前方から視認される。そのため、ミラー部材の後方（遊技機後方側）に第１表示手段が設置される構成であっても、その第１情報が遊技機前方から視認可能となる。また、第２表示手段による第２情報がミラー部材の前面部における反射面に反射表示されるため、その第２情報が遊技機前方から視認可能となる。かかる場合、ミラー部材の反射面では、第１情報と第２情報とが合成された表示情報が視認されることとなる。
【０２６２】
上記のように絵柄表示手段が複数の表示手段（第１表示手段、第２表示手段）を備える構成であれば、その複数の表示手段を使って多種多様な演出を実現できる。ただしその反面、絵柄表示手段を実現するための表示ユニットの大型化が懸念される。この点、特徴２２では、２つの表示手段を分散配置し、それらによる各表示情報をミラー部材を使って合成する構成としたため、各表示手段（表示装置）を効率よく配置し、ひいては表示ユニットの大型化を抑制できる。その結果、遊技演出の多様化を図るべく複数の表示手段からなる絵柄表示手段を用いつつも、その絵柄表示手段を遊技機背面側スペースに好適に設置することができる。
【０２６３】
例えば、パチンコ機等の遊技機は、遊技ホールの島設備等に並べて設置され、遊技機自体の大きさに制限があるが、上記のように絵柄表示手段が遊技機背面側スペースに好適に設置されることで、遊技機自体の大きさの制限を超えることなく、多種多様な演出機能を具備する遊技機を実現できる。また、第２表示手段をミラー部材から離間して設けることにより、その離間分だけ第２表示手段による第２情報が絵柄表示部の後方に離間しているかのように表示される。すなわち、ミラー部材と第２表示手段とが離間していることにより、第２情報の表示に立体感を持たせることができる。上述したように、遊技機自体の大きさには制限があり、絵柄表示部の後方に、絵柄表示部から離間して表示手段を設けることは困難なことがあるが、特徴２２によれば、第２表示手段を設ける位置が絵柄表示部の後方に限定されないため、第２情報の表示に立体感を持たせる構成を良好に得ることができる（奥行きがあるように視認させることができる）。
【０２６４】
ビームスプリッタ機能を有するミラー部材と第１表示手段との間において、ミラー部材における第１情報の表示部位とは異なる部位に第１遮蔽手段を設けたため、ミラー部材を透過させて表示させたい第１情報についてはその透過表示を好適に行わせ、かつそれ以外（ミラー部材を透過させて表示させたくないもの）については透過表示を行わせないようにすることができる。
【０２６５】
また、上記のように局部的に光遮蔽を行う構成では、ミラー部材において第１遮蔽手段による光遮蔽が行われる部位と光遮蔽が行われない部位とが存在することに起因して、それら各部位で光反射率に差異が生じることが考えられる。つまり、第１遮蔽手段による光遮蔽が行われる部位では、ミラー部材自身における光反射に加え第１遮蔽手段における光反射も生じるため、光遮蔽が行われない部位よりも光反射率が大きくなる。そして、このミラー部材における光反射率の差異により、第２表示手段の第２情報についてミラー部材上における表示の差異（表示ムラ）が生じることが懸念される。
【０２６６】
これに対して本特徴２２によれば、第１遮蔽手段の後方には可動式の第２遮蔽手段が設けられており、その第２遮蔽手段が、ミラー部材における第１遮蔽手段が設けられていない部位にて光の透過を許容する状態と光の透過を遮断する状態とで動作可能となっている。この場合、第２遮蔽手段が、ミラー部材における第１遮蔽手段が設けられていない部位にて光の透過を許容する状態（光透過状態）にあれば、ミラー部材を通じての第１情報の表示が可能となる。また、第２遮蔽手段が、ミラー部材における第１遮蔽手段が設けられていない部位にて光の透過を遮断する状態（光遮断状態）にあれば、ミラー部材を通じての第１情報の表示が不可能となる。特に、第２遮蔽手段が光遮断状態にある場合には、ミラー部材の全面で第１，第２の各遮蔽手段による光遮蔽がなされるため、当該ミラー部材における光反射率の差異を抑制できる。これにより、第２表示手段の第２情報についてミラー部材上における表示の差異（表示ムラ）を抑制できる。
【０２６７】
また、ミラー部材上における表示の差異が大きい場合、その差異により、ミラー部材において第１情報の表示部位とそれ以外の部分との境界が目立ってしまうことが考えられる。本特徴２２によれば、ミラー部材における光反射率の差異を抑制できるため、ミラー部材において第１情報の表示部位とそれ以外の部分との境界が目立ってしまうことを抑制する効果が得られる。
【０２６８】
特徴２３．前記第１遮蔽手段と前記第２遮蔽手段とは同材質の部材にて構成されていることを特徴とする特徴２２に記載の遊技機。
【０２６９】
特徴２３の遊技機によれば、第１，第２の各遮蔽手段が同材質であるため、光反射率を同等にすることができ、ミラー部材における光反射率の差異を抑制する上で一層好適な構成を実現できる。
【０２７０】
特徴２４．前記ミラー部材において前記第１情報を表示する場合に、前記第２遮蔽手段を前記光透過状態とし、前記ミラー部材において前記第１情報を表示しない場合に、前記第２遮蔽手段を前記光遮断状態とする遮蔽制御手段（音声ランプ制御装置７１による遮蔽板制御処理）を備えることを特徴とする特徴２２又は２３に記載の遊技機。
【０２７１】
特徴２４の遊技機によれば、ミラー部材において第１情報を表示するか否かに応じて、換言すれば遊技の状況に応じて、第２遮蔽手段の状態が制御される。そのため、都度の遊技状況に合わせて、第１情報の表示を優先的に行う場合と、ミラー部材上における第２情報の表示ムラを抑制する場合とを適宜切り替えることができる。
【０２７２】
なお、特徴２２〜２４に対して上記特徴３，４，７〜２０のいずれかに記載した特徴的な構成（従属部分を除く）を組み合わせて適用してもよい。この場合、特徴３，４，７〜２０における「第１ミラー部材」を「ミラー部材」に、「光遮蔽手段」を「第１光遮蔽手段」に、「第２ミラー部材」を「第２遮蔽手段」とすればよい。
【０２７３】
以下に、以上の各特徴を適用し得る各種遊技機の基本構成を示す。
【０２７４】
パチンコ遊技機：遊技者が操作する操作手段（遊技球発射ハンドル３６）と、その操作手段の操作に基づいて遊技球を発射する遊技球発射手段（遊技球発射装置４５）と、その発射された遊技球を所定の遊技領域に導く球通路（内，外レール部６７，６８）と、遊技領域内に配置された各遊技部品とを備え、それら各遊技部品のうち所定の入球部に遊技球が入球した場合に遊技者に特典を付与する遊技機。
【０２７５】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【図面の簡単な説明】
【０２７６】
【図１】一実施の形態におけるパチンコ機を示す正面図である。
【図２】パチンコ機の主要な構成を展開して示す斜視図である。
【図３】パチンコ機の構成を示す背面図である。
【図４】遊技盤の構成を示す正面図である。
【図５】本体枠の構成を示す背面図である。
【図６】可変表示ユニットの構成を示す側面図である。
【図７】（ａ）ミラーユニットの構成を示す正面図である。（ｂ）図７（ａ）におけるＡ−Ａ線断面図である。
【図８】ミラー部材の拡大断面図である。
【図９】ミラーユニットの構成を示す分解斜視図である。
【図１０】ミラー部材を製造する方法を示す概略図である。
【図１１】（ａ）演出実行装置の構成を示す正面図である。（ｂ）図１１（ａ）におけるＢ−Ｂ線断面図である。（ｃ）図１１（ａ）におけるＣ−Ｃ線断面図である。
【図１２】（ａ）７セグメント表示装置における変動表示の実施態様を示す説明図である。（ｂ）演出実行装置における演出の実施態様を示す説明図である。（ｃ）ミラー部材を介して変動表示装置及び演出実行装置を視認した場合の態様を示す説明図である。
【図１３】パチンコ機の電気的構成を示すブロック図である。
【図１４】表示制御処理を示すフローチャートである。
【図１５】図柄表示部を視認した場合の視認態様を示す説明図である。
【図１６】第２の実施形態におけるミラーユニットの構成を示す分解斜視図である。
【図１７】第２の実施形態におけるミラーユニットの正面図である。
【図１８】図１７におけるＤ−Ｄ線断面図である。
【図１９】第３の実施形態におけるミラーユニットの構成を示す分解斜視図である。
【図２０】第３の実施形態における可変表示ユニットの構成を示す側面図である。
【図２１】（ａ）遮蔽板の閉鎖状態を示す概略図である。（ｂ）遮蔽板の開放状態を示す概略図である。
【図２２】可動板制御処理を示すフローチャートである。
【図２３】別例におけるミラーユニットの構成を示す分解斜視図である。
【符号の説明】
【０２７７】
１０…遊技機としてのパチンコ機、３６…遊技球発射ハンドル、４５…遊技球発射装置、５１…遊技盤、５６…可変表示ユニット、６１…図柄表示部、６７，６８…内，外レール部、１００…開口部、１１２…７セグメント表示装置、１１３…補助演出実行装置、１１４…ミラー部材、１２１…ベース板、１２３…ミラー部、１２４…ハーフミラー部、１２６…シート材、１２９…表示セグメント、１３１…液晶表示装置、１３２…ランプ表示装置、１４７…ランプ表示部、１５３…発光体、１５５…可動扉、２００…ミラー本体、２０１…ハーフミラー材、２０２…黒色シート、２０５…裏ハーフミラー材、２１０…ＬＥＤ、２３０…可動板、２３２…光拡散板、２３５…黒色部、２３６…曇加工部。
【図１】
2010012084.tif 000003
【図２】
2010012084.tif 000004
【図３】
2010012084.tif 000005
【図４】
2010012084.tif 000006
【図５】
2010012084.tif 000007
【図６】
2010012084.tif 000008
【図７】
2010012084.tif 000009
【図８】
2010012084.tif 000010
【図９】
2010012084.tif 000011
【図１０】
2010012084.tif 000012
【図１１】
2010012084.tif 000013
【図１２】
2010012084.tif 000014
【図１３】
2010012084.tif 000015
【図１４】
2010012084.tif 000016
【図１５】
2010012084.tif 000017
【図１６】
2010012084.tif 000018
【図１７】
2010012084.tif 000019
【図１８】
2010012084.tif 000020
【図１９】
2010012084.tif 000021
【図２０】
2010012084.tif 000022
【図２１】
2010012084.tif 000023
【図２２】
2010012084.tif 000024
【図２３】
2010012084.tif 000025